(57)【特許請求の範囲】
【請求項１】
セッションを確立するための方法であって、
セッション管理機能（ＳＭＦ）エンティティが、第１のプロトコルデータユニット（ＰＤＵ）セッションを確立する段階であって、前記第１のＰＤＵセッションのサービスは、第２のユーザプレーン機能（ＵＰＦ）により提供される、段階と、
アクセス・モビリティ管理機能（ＡＭＦ）エンティティが、第１のメッセージをユーザ機器（ＵＥ）へ送信する段階であって、前記第１のメッセージは、第２のＰＤＵセッションの確立要求を送信するよう前記ＵＥに指示する、段階と、
前記ＡＭＦエンティティが、前記第２のＰＤＵセッションの前記確立要求を示す第２のメッセージを前記ＵＥから受信する段階であって、前記第２のメッセージは、前記第１のＰＤＵセッションの第１のＰＤＵセッションＩＤ及び前記第２のＰＤＵセッションの第２のＰＤＵセッションＩＤを含む、段階と、
前記ＡＭＦエンティティが、前記第１のＰＤＵセッションＩＤと前記ＳＭＦエンティティに関連付けられたＳＭＦ  ＩＤとの間の関連付け及び前記第１のＰＤＵセッションＩＤに基づいて、前記ＳＭＦエンティティを決定する段階であって、前記関連付けは前記ＡＭＦエンティティに記憶されている、段階と、
前記ＳＭＦエンティティが、前記第２のＰＤＵセッションを確立する段階であって、前記第２のＰＤＵセッションのサービスは、第１のＵＰＦにより提供される、段階と
を備える方法。
【請求項２】
前記第１のメッセージは、前記第１のＰＤＵセッションの前記第１のＰＤＵセッションＩＤを含む、
請求項１に記載の方法。
【請求項３】
前記第１のメッセージは、前記第１のＰＤＵセッションに対応するＰＤＵセッションの解放時間を含む、
請求項１または２に記載の方法。
【請求項４】
前記第１のメッセージは、前記第２のＰＤＵセッションの確立を示す原因値を含む、
請求項１から３のいずれか一項に記載の方法。
【請求項５】
前記第１のメッセージは、インジケーション情報を保持し、前記インジケーション情報は、前記第１のＰＤＵセッションと同じデータネットワーク（ＤＮ）に対して前記第２のＰＤＵセッションを確立するよう前記ＵＥに指示するために用いられる、
請求項１から４のいずれか一項に記載の方法。
【請求項６】
セッションを確立するための方法であって、
アクセス・モビリティ管理機能（ＡＭＦ）エンティティが、第１のメッセージをユーザ機器（ＵＥ）へ送信する段階であって、前記第１のメッセージは、プロトコルデータユニット（ＰＤＵ）セッションの確立要求を送信するよう前記ＵＥに指示する、段階と、
前記ＡＭＦエンティティが、第２のＰＤＵセッションの確立要求を示す第２のメッセージを前記ＵＥから受信する段階であって、前記第２のメッセージは、第１のＰＤＵセッションの第１のＰＤＵセッションＩＤ及び前記第２のＰＤＵセッションの第２のＰＤＵセッションＩＤを含む、段階と、
前記ＡＭＦエンティティが、前記第１のＰＤＵセッションＩＤとセッション管理機能（ＳＭＦ）エンティティに関連付けられたＳＭＦ  ＩＤとの間の関連付け及び前記第１のＰＤＵセッションＩＤに基づいて、前記ＳＭＦエンティティを決定する段階であって、前記関連付けは前記ＡＭＦエンティティに記憶されており、前記第１のＰＤＵセッションは前記ＳＭＦエンティティを通じて確立される、段階と
を備える方法。
【請求項７】
前記第１のメッセージは、前記第１のＰＤＵセッションの前記第１のＰＤＵセッションＩＤを含む、
請求項６に記載の方法。
【請求項８】
前記方法はさらに、
前記ＡＭＦエンティティが、第１の要求メッセージを前記ＳＭＦエンティティから受信する段階を備え、前記第１の要求メッセージは、前記第１のＰＤＵセッションの前記第１のＰＤＵセッションＩＤを含む、
請求項６または７に記載の方法。
【請求項９】
前記第１のメッセージは、前記第１のＰＤＵセッションに対応するＰＤＵセッションの解放時間をさらに含む、
請求項６から８のいずれか一項に記載の方法。
【請求項１０】
前記第１のメッセージは、前記第２のＰＤＵセッションの確立を示す原因値をさらに含む、
請求項６から９のいずれか一項に記載の方法。
【請求項１１】
前記第１のメッセージは、インジケーション情報を保持し、前記インジケーション情報は、前記第１のＰＤＵセッションと同じデータネットワーク（ＤＮ）に対して前記第２のＰＤＵセッションを確立するよう前記ＵＥに指示するために用いられる、
請求項６から１０のいずれか一項に記載の方法。
【請求項１２】
セッションを確立するための方法であって、
ユーザ機器（ＵＥ）が、セッション管理機能（ＳＭＦ）エンティティを通じて第１のプロトコルデータユニット（ＰＤＵ）セッションを確立する段階であって、前記第１のＰＤＵセッションのサービスは、第２のユーザプレーン機能（ＵＰＦ）により提供される、段階と、
前記ＵＥが、アクセス・モビリティ管理機能（ＡＭＦ）エンティティから第１のメッセージを受信する段階と、
前記ＵＥが、前記第１のメッセージに応じて、第２のＰＤＵセッションの確立要求を示す第２のメッセージを前記ＡＭＦエンティティに送信する段階であって、前記第２のメッセージは、前記第１のＰＤＵセッションの第１のＰＤＵセッションＩＤ及び前記第２のＰＤＵセッションの第２のＰＤＵセッションＩＤを含み、前記第１のＰＤＵセッションＩＤは前記ＳＭＦエンティティを決定するために使用可能である、段階と、
を備える方法。
【請求項１３】
前記第１のメッセージは、前記第１のＰＤＵセッションの前記第１のＰＤＵセッションＩＤを含む、
請求項１２に記載の方法。
【請求項１４】
前記ＵＥが、前記第１のＰＤＵセッションに対するセッション・サービス継続（ＳＳＣ）モードは新たなＰＤＵセッションを確立した後に前記第１のＰＤＵセッションを解放することを含むモードであると決定する段階と、
前記決定に応じて、前記第１のＰＤＵセッションＩＤを前記第２のメッセージに追加する段階と、
をさらに備える請求項１２又は１３に記載の方法。
【請求項１５】
前記ＵＥが、前記ＳＭＦエンティティを通じて前記第２のＰＤＵセッションを確立する段階であって、前記第２のＰＤＵセッションのサービスは、第１のＵＰＦにより提供される、段階
をさらに備える請求項１２から１４のいずれか一項に記載の方法。
【請求項１６】
前記第１のメッセージは、前記第１のＰＤＵセッションに対応するＰＤＵセッションの解放時間をさらに含む、
請求項１２から１５のいずれか一項に記載の方法。
【請求項１７】
前記第１のメッセージは、前記第２のＰＤＵセッションの確立を示す原因値をさらに含む、
請求項１２から１６のいずれか一項に記載の方法。
【請求項１８】
通信装置であって、
メモリからコンピュータプログラムを呼び出し、前記通信装置に請求項６から１１のいずれか一項又は請求項１２から１７のいずれか一項に記載の方法を実現させるように前記コンピュータプログラムを実行するよう構成されるプロセッサ
を備える通信装置。
【請求項１９】
セッション管理機能（ＳＭＦ）エンティティと、
アクセス・モビリティ管理機能（ＡＭＦ）エンティティと
を備え、
前記ＳＭＦエンティティは、
第１のプロトコルデータユニット（ＰＤＵ）セッションを確立することであって、前記第１のＰＤＵセッションのサービスは、第２のユーザプレーン機能（ＵＰＦ）により提供される、こと
を行うよう構成され、
前記ＡＭＦエンティティは、
第１のメッセージをユーザ機器（ＵＥ）へ送信することであって、前記第１のメッセージは、第２のＰＤＵセッションの確立要求を送信するよう前記ＵＥに指示する、ことと、
前記第２のＰＤＵセッションの前記確立要求を示す第２のメッセージを前記ＵＥから受信することであって、前記第２のメッセージは、前記第１のＰＤＵセッションの第１のＰＤＵセッションＩＤ及び前記第２のＰＤＵセッションの第２のＰＤＵセッションＩＤを含む、ことと、
前記第１のＰＤＵセッションＩＤと前記ＳＭＦエンティティに関連付けられたＳＭＦ  ＩＤとの間の関連付け及び前記第１のＰＤＵセッションＩＤに基づいて、前記ＳＭＦエンティティを決定することであって、前記関連付けは前記ＡＭＦエンティティに記憶されている、ことと、
を行うよう構成され、
前記ＳＭＦエンティティはさらに、
第２のＰＤＵセッションを確立することであって、前記第２のＰＤＵセッションのサービスは、第１のＵＰＦにより提供される、こと
を行うよう構成される、
システム。
【請求項２０】
前記第１のメッセージは、前記第１のＰＤＵセッションの前記第１のＰＤＵセッションＩＤを含む、
請求項１９に記載のシステム。
【請求項２１】
前記第１のメッセージは、前記第１のＰＤＵセッションに対応するＰＤＵセッションの解放時間を含む、
請求項１９または２０に記載のシステム。
【請求項２２】
前記第１のメッセージは、前記第２のＰＤＵセッションの確立を示す原因値を含む、
請求項１９から２１のいずれか一項に記載のシステム。
【請求項２３】
前記第１のメッセージは、インジケーション情報を保持し、前記インジケーション情報は、前記第１のＰＤＵセッションと同じデータネットワーク（ＤＮ）に対して前記第２のＰＤＵセッションを確立するよう前記ＵＥに指示するために用いられる、
請求項１９から２２のいずれか一項に記載のシステム。
【請求項２４】
前記ＳＭＦエンティティはさらに、前記ＰＤＵセッションの解放時間に従って前記第１のＰＤＵセッションを解放するように構成される
請求項２１に記載のシステム。
【請求項２５】
プロセッサと、
前記プロセッサに結合され、プログラミング命令を記憶するよう構成されるメモリと
を備えるユーザ機器（ＵＥ）であって、
前記プログラミング命令は、前記プロセッサにより実行されると、前記ユーザ機器に、
セッション管理機能（ＳＭＦ）エンティティを用いて第１のプロトコルデータユニット（ＰＤＵ）セッションを確立することと、
第１のメッセージをアクセス・モビリティ管理機能（ＡＭＦ）エンティティから受信することであって、前記第１のメッセージは、第２のＰＤＵセッションの確立要求を送信するよう前記ＵＥに指示する、ことと、
前記第２のＰＤＵセッションの前記確立要求を示す第２のメッセージを前記ＡＭＦエンティティへ送信することであって、前記第２のメッセージは、前記第１のＰＤＵセッションの第１のＰＤＵセッションＩＤ及び前記第２のＰＤＵセッションの第２のＰＤＵセッションＩＤを含み、前記第１のＰＤＵセッションＩＤは前記ＳＭＦエンティティを決定するために使用可能である、ことと
を行わせる、
ユーザ機器。
【請求項２６】
前記第１のメッセージは、前記第１のＰＤＵセッションの前記第１のＰＤＵセッションＩＤを含む、
請求項２５に記載のユーザ機器。
【請求項２７】
前記プログラミング命令は、前記ユーザ機器に、
前記第１のＰＤＵセッションに対するセッション・サービス継続（ＳＳＣ）モードが新たなＰＤＵセッションを確立した後に前記第１のＰＤＵセッションを解放することを含むモードであると決定することと、
前記決定に応じて、前記第１のＰＤＵセッションＩＤを前記第２のメッセージに追加することと、
をさらに行わせる請求項２５又は２６に記載のユーザ機器。
【請求項２８】
前記プログラミング命令は、前記ユーザ機器に、
前記ＳＭＦエンティティを通じて前記第２のＰＤＵセッションを確立することであって、前記第２のＰＤＵセッションのサービスは、第１のユーザプレーン機能により提供される、こと
をさらに行わせる請求項２５から２７のいずれか一項に記載のユーザ機器。
【請求項２９】
前記第１のメッセージは、前記第１のＰＤＵセッションに対応するＰＤＵセッションの解放時間をさらに含む、
請求項２５から２８のいずれか一項に記載のユーザ機器。
【請求項３０】
前記第１のメッセージは、前記第２のＰＤＵセッションの確立を示す原因値をさらに含む、
請求項２５から２９のいずれか一項に記載のユーザ機器。
【発明の詳細な説明】
【技術分野】
【０００１】
本発明の実施形態は、通信技術の分野に関し、特にセッションを確立するための方法、装置、およびシステムに関する。
【背景技術】
【０００２】
第５世代（５Ｇ）移動体通信技術においては、プロトコルデータユニット（ＰＤＵ）接続性サービスを提供するために用いられるＰＤＵセッションが、ユーザ機器（ＵＥ）とデータネットワーク（ＤＮ）との間に存在する。通常、ＰＤＵセッションにより用いられるセッション・サービス継続性モードは、セッション・サービス継続性モード（ＳＳＣモード）１およびＳＳＣモード２である。
【０００３】
図１ａは、ＳＳＣモード１においてセッションを確立するための手順を示す。具体的に言えば、ネットワーク側（例えばセッション管理機能（ＳＭＦ）エンティティ）が、ＰＤＵセッションを解放し、同じＤＮに対する新たなＰＤＵセッションを直ちに確立するようＵＥに命令し、次いでＳＭＦエンティティがＵＥにより送信された第１のメッセージを受信すると、ＳＭＦエンティティは新たなユーザプレーン機能（ＵＰＦ）エンティティを選択してＰＤＵセッションの確立を実行する。換言すると、ＳＳＣモード１においてセッションが確立される場合、１つのＵＰＦエンティティが１つのＩＰアドレスに対応するので、ＵＰＦエンティティが変わり得るだけでなく、ＩＰアドレスも変わり得る。図１ｂは、ＳＳＣモード２においてセッションを確立するための手順を示す。ＳＭＦエンティティは、予め設定された時間内に新たなＰＤＵセッションを確立するようＵＥに命令し、次いでＵＥにより送信された第１のメッセージを受信すると、ＳＭＦエンティティは、新たなＳＭＦエンティティを選択して新たなＰＤＵセッションを確立し、最後にＳＭＦが予め設定された時間の後に古いＰＤＵセッションを解放する。
【０００４】
しかしながら、従来技術において、ＵＥにより送信される第１のメッセージは、モビリティ管理機能（ＡＭＦ）エンティティを用いてＳＭＦエンティティへ送信されるので、ＡＭＦエンティティが第１のメッセージを転送するとき、ＡＭＦエンティティは再びＳＭＦエンティティを選択するプロセスを行い、新たに選択されたＳＭＦエンティティもまたＵＰＦエンティティを選択するプロセスを行う。結果として、処理効率が比較的低い。加えて、ＡＭＦエンティティにより選択されたＳＭＦエンティティと、ＰＤＵセッションを再確立するようトリガされたＳＭＦエンティティとが同じＳＭＦエンティティでない場合、新たに選択されたＳＭＦエンティティにより選択されるＵＰＦと、ＰＤＵセッションを再確立するようトリガされたＳＭＦエンティティにより選択されるＵＰＦエンティティとが一致しない。結果として、ＰＤＵセッションが再確立された後に、ユーザプレーンの最適化を保証することができない。
【発明の概要】
【０００５】
本出願は、第１のメッセージを転送するときにＡＭＦエンティティがＳＭＦエンティティを再選択する必要があるために効率が低いという、従来技術における課題を解決するべく、セッションを確立するための方法、装置、およびシステムを提供する。
【０００６】
上述の目的を実現するべく、本出願においては以下の技術的解決手段が用いられる。
【０００７】
第１の態様によれば、本発明の一実施形態は、セッションを確立するための方法であって、ユーザ機器ＵＥが、セッション管理機能ＳＭＦエンティティを用いて第１のセッションを確立する段階と、ＵＥが、モビリティ管理機能ＡＭＦエンティティにより送信された第１のメッセージを受信する段階であって、第１のメッセージは、第２のセッションを確立するための要求を送信するようＵＥに命令するために用いられる、段階と、ＵＥが、第１のセッションの識別子と同じ識別子を第２のセッションに割り当てる段階と、ＵＥが、第２のセッションを確立することを要求するためにＵＥにより用いられる第２のメッセージをＡＭＦエンティティへ送信する段階であって、第２のメッセージは、第２のセッションの識別子を保持し、第２のセッションの識別子は、第２のメッセージをＳＭＦエンティティへ送信するようＡＭＦエンティティに命令するために用いられる、段階とを備える方法を提供する。
【０００８】
本発明の本実施形態に係るセッションを確立するための方法においては、識別子情報が第２のメッセージに保持され、次いでＡＭＦエンティティが、識別子情報に基づいて、識別子情報により指定されるＳＭＦエンティティへ第２のメッセージを送信する。これは、ＳＭＦエンティティが第２のメッセージを送信するようユーザ機器をトリガする目的が、セッションを再確立するためであるからである。しかしながら、セッションを確立するためのシステムにおいて、ユーザ機器により送信される第２のメッセージは、ＡＭＦエンティティによってのみＳＭＦエンティティへ転送されることができ、ＡＭＦエンティティは、第２のメッセージを転送するときにＳＭＦエンティティを選択するプロセスを行う必要がある。したがって、本発明の本実施形態において、ＡＭＦエンティティが第２のメッセージを受信したときに再びＳＭＦエンティティを選択するプロセスを行う必要があるので処理効率が低いという課題を回避し、ＡＭＦエンティティにより選択されたＳＭＦエンティティが、第２のメッセージを送信するようユーザ機器をトリガするＳＭＦエンティティと一致しないという課題を回避するために、識別子情報が用いられてよい。さらに、本発明の本実施形態において、ＳＭＦエンティティが識別子情報を受信した後にＳＭＦエンティティが再びＵＰＦエンティティを再選択するプロセスを行わないことを可能とするために、識別子情報が用いられてよい。その理由は、通常、ＳＭＦエンティティが、第２のメッセージを送信するようＵＥをトリガする前に、現時点でＵＥとセッションを確立しているＵＰＦエンティティ（例えば第１のＵＰＦエンティティ）が既にユーザ要件を満たせないことを決定済みであり、ＵＥと第２のセッションを再確立するために適切なＵＰＦエンティティ（例えば第１のＵＰＦエンティティ）を選択済みであることに起因して、ＳＭＦエンティティが第２のメッセージを送信するようＵＥをトリガするからである。これにより、第２のセッションが確立された後、最終的にユーザプレーンをさらに最適化することができる。
【０００９】
第１の態様に関連して、第１の態様の第１の可能な実装において、第１のメッセージは、第１のセッションの識別子と同じ識別子を第２のセッションに割り当てるようＵＥに命令するために用いられる第１のインジケーション情報を保持し、ＵＥが、第１のセッションの識別子と同じ識別子を第２のセッションに割り当てる段階は、ＵＥが、第１のインジケーション情報に従って、第１のセッションの識別子と同じ識別子を第２のセッションに割り当てる段階を含む。
【００１０】
第１の態様または第１の態様の第１の可能な実装に関連して、第１の態様の第２の可能な実装において、ＵＥが、第１のセッションの識別子と同じ識別子を第２のセッションに割り当てる段階は、ＵＥが、第１のセッションのセッション・サービス継続性モードを取得する段階と、ＵＥが、第１のセッションのセッション・サービス継続性モードが第１のモードであると決定し、第１のセッションの識別子と同じ識別子を第２のセッションに割り当てる段階とを含む。
【００１１】
第１の態様から第１の態様の第２の可能な実装のいずれか１つに関連して、第１の態様の第３の可能な実装において、第１のメッセージは、識別子情報を保持し、識別子情報は、第２のメッセージをＳＭＦエンティティへ送信するためにＡＭＦエンティティにより用いられ、第２のメッセージは、識別子情報を保持する。具体的には、ＡＭＦエンティティは、識別子情報とＳＭＦエンティティとの間の対応を記憶する。
【００１２】
第１の態様から第１の態様の第３の可能な実装のいずれか１つに関連して、第１の態様の第４の可能な実装において、第１のメッセージは、第２のセッションのデータネットワークＤＮが第１のセッションのＤＮと同じであることを示すために用いられる第２のインジケーション情報を保持する。
【００１３】
第２の態様によれば、本発明の一実施形態は、セッションを確立するための方法であって、ユーザ機器ＵＥが、セッション管理機能ＳＭＦエンティティを用いて第１のセッションを確立する段階と、ＵＥが、モビリティ管理機能ＡＭＦエンティティにより送信された、第２のセッションを確立するための要求を送信するようＵＥに命令するために用いられる第１のメッセージを受信する段階と、ＵＥが、第２のメッセージをＡＭＦエンティティへ送信する段階であって、第２のメッセージは、第２のセッションを確立することを要求するために用いられ、第１のメッセージは、識別子情報に関連付けられたＳＭＦエンティティへ第２のメッセージを送信するようＡＭＦエンティティに命令するために用いられる識別子情報を保持する、段階とを備える方法を提供する。
【００１４】
第２の態様に関連して、第２の態様の第１の可能な実装において、第１のメッセージは、識別子情報を第２のメッセージに付加するようＵＥに命令するために用いられる第３のインジケーション情報を保持する。具体的には、ＵＥは、第３のインジケーション情報を受信した後に、識別子情報を第２のメッセージに付加する。
【００１５】
第２の態様または第２の態様の第１の可能な実装に関連して、第２の態様の第２の可能な実装において、ＵＥは、第１のセッションのセッション・サービス継続性モードを取得し、ＵＥは、第１のセッションのセッション・サービス継続性モードが第２のモードであると決定し、ＵＥは、第１のセッションの識別子を識別子情報として決定する。第２のモードは、セッション・サービス継続性モードＳＳＣ２であり、ＳＳＣ２は、第１のセッションが解放される前にＵＥがまず第２のセッションを確立することをネットワーク側が可能とすることを示し、第２のセッションのデータネットワークＤＮは、第１のセッションのＤＮと同じである。ＳＳＣ２においては、第１のセッションおよび第２のセッションが、ある期間にわたって共存する。
【００１６】
第２の態様から第２の態様の第２の可能な実装のいずれか１つに関連して、第２の態様の第３の可能な実装において、ＵＥは、ＡＭＦエンティティを用いて、ＳＭＦエンティティにより設定される識別子情報を受信する。
【００１７】
第２の態様から第２の態様の第３の可能な実装のいずれか１つに関連して、第２の態様の第４の可能な実装において、第１のメッセージは、第４のインジケーション情報を保持し、第４のインジケーション情報は、第１のセッションの識別子を識別子情報として用いるようＵＥに命令するために用いられ、ユーザ機器は、第４のインジケーション情報に従って、第１のセッションの識別子を識別子情報として決定する。具体的に言えば、第２のセッションを確立することを要求するためにＵＥにより用いられる第２のメッセージは、少なくとも第１のセッションの識別子を保持する。例えば、第２のメッセージは、第２のセッションの識別子および第１のセッションの識別子の両方を保持する。
【００１８】
第２の態様から第２の態様の第４の可能な実装のいずれか１つに関連して、第２の態様の第５の可能な実装において、第１のメッセージは、第１のセッションと同じデータネットワークＤＮに対して第２のセッションを確立するようＵＥに命令するために用いられる第２のインジケーション情報を保持する。
【００１９】
第３の態様によれば、本発明の一実施形態は、セッションを確立するための方法であって、モビリティ管理機能ＡＭＦエンティティが、第２のセッションを確立するための要求を送信するようＵＥに命令するために用いられる第１のメッセージをユーザ機器ＵＥへ送信する段階と、モビリティ管理機能ＡＭＦエンティティが、ユーザ機器により送信された、識別子情報を保持する第２のメッセージを受信する段階であって、識別子情報は、識別子情報に関連付けられたセッション管理機能ＳＭＦエンティティへ第２のメッセージを送信するようＡＭＦエンティティに命令するために用いられ、第２のメッセージは、第２のセッションを確立することを要求するために用いられる、段階と、ＡＭＦエンティティが、識別子情報に基づいて、第２のメッセージをＳＭＦエンティティへ送信する段階とを備える方法を提供する。
【００２０】
第３の態様に関連して、第３の態様の第１の可能な実装において、第１のメッセージは、識別子情報を第２のメッセージに付加するようＵＥに命令するために用いられる第３のインジケーション情報を保持する。
【００２１】
第３の態様または第３の態様の第１の可能な実装に関連して、第３の態様の第２の可能な実装において、識別子情報は、ＳＭＦエンティティにより設定され、ＡＭＦエンティティが第１のメッセージをＵＥへ送信する段階の前に、本発明の本実施形態により提供される方法はさらに、ＡＭＦエンティティが、ＳＭＦエンティティにより送信された、識別子情報とＳＭＦエンティティの識別子との間のマッピング関係を確立するようＡＭＦエンティティに命令するために用いられる第１の要求メッセージを受信する段階を備え、ＡＭＦエンティティが、識別子情報に基づいて、識別子情報に関連付けられたＳＭＦエンティティへ第２のメッセージを送信する段階は、ＡＭＦエンティティが、識別子情報に基づいて、識別子情報に対応するＳＭＦエンティティの識別子を取得する段階と、ＡＭＦエンティティが、識別子情報に対応するＳＭＦエンティティの識別子により示されるＳＭＦエンティティへ第２のメッセージを送信する段階とを含む。
【００２２】
第３の態様から第３の態様の第２の可能な実装のいずれか１つに関連して、第３の態様の第３の可能な実装において、モビリティ管理機能ＡＭＦエンティティが第１のメッセージをユーザ機器ＵＥへ送信する段階の前に、本発明の本実施形態により提供される方法はさらに、ＡＭＦエンティティが、ＳＭＦエンティティにより送信された、第１のセッションの識別子とＳＭＦエンティティとの間のマッピング関係を記憶するようＡＭＦエンティティに命令するために用いられる第１の要求メッセージを受信する段階であって、第１のセッションは、ＳＭＦエンティティが第１の要求メッセージを送信する前にＳＭＦエンティティとＵＥとの間に確立されるセッションである、段階と、ＡＭＦエンティティが、第１の要求メッセージに基づいて、第１のセッションの識別子とＳＭＦエンティティとの間のマッピング関係を記憶する段階とを備える。
【００２３】
第３の態様から第３の態様の第３の可能な実装のいずれか１つに関連して、第３の態様の第４の可能な実装において、第１のメッセージはさらに、第１のセッションの識別子と同じ識別子を第２のセッションに割り当てるようＵＥに命令するために用いられる第１のインジケーション情報を保持し、識別子情報は、第２のセッションの識別子である。
【００２４】
第３の態様から第３の態様の第４の可能な実装のいずれか１つに関連して、第３の態様の第５の可能な実装において、第１のメッセージは、第１のセッションの識別子を識別子情報として用いるようＵＥに命令するために用いられる第４のインジケーション情報を保持する。
【００２５】
第３の態様から第３の態様の第５の可能な実装のいずれか１つに関連して、第３の態様の第６の可能な実装において、第１のメッセージは、第１のセッションと同じデータネットワークＤＮに対して第２のセッションを確立するようＵＥに命令するために用いられる第２のインジケーション情報を保持する。
【００２６】
第４の態様によれば、本発明の一実施形態は、セッションを確立するための方法であって、セッション管理機能ＳＭＦエンティティが、第１のメッセージをユーザ機器ＵＥへ送信するようＡＭＦエンティティに命令するために用いられる第１の要求メッセージをモビリティ管理機能ＡＭＦエンティティへ送信する段階であって、第１のメッセージは、第２のセッションを確立するための第２のメッセージを送信するようＵＥに命令するために用いられる、段階と、セッション管理機能ＳＭＦエンティティが、モビリティ管理機能ＡＭＦエンティティにより送信された、第２のセッションを確立するよう命令するために用いられる第２のメッセージを受信する段階と、ＳＭＦエンティティが、第２のメッセージに基づいて、ＳＭＦエンティティとユーザ機器ＵＥとの間に第２のセッションを確立する段階とを備える方法を提供する。
【００２７】
第４の態様に関連して、第４の態様の第１の可能な実装において、第１のメッセージは、識別子情報を第２のメッセージに付加するようＵＥに命令するために用いられる第３のインジケーション情報を保持する。
【００２８】
第４の態様または第４の態様の第１の可能な実装に関連して、第４の態様の第２の可能な実装において、セッション管理機能ＳＭＦエンティティが第１の要求メッセージをＡＭＦエンティティへ送信する段階の前に、本発明の本実施形態により提供される方法はさらに、ＳＭＦエンティティが、第２のメッセージをＳＭＦエンティティへ送信するようＡＭＦエンティティに命令するために用いられる識別子情報を設定する段階を備え、第１の要求メッセージはさらに、識別子情報とＳＭＦエンティティの識別子との間のマッピング関係を確立するようＡＭＦエンティティに命令するために用いられる。
【００２９】
第４の態様から第４の態様の第２の可能な実装のいずれか１つに関連して、第４の態様の第３の可能な実装において、第１の要求メッセージはさらに、第１のセッションの識別子とＳＭＦエンティティとの間の関係を確立するようＡＭＦエンティティに命令するために用いられ、第２のメッセージはさらに、第１のセッションおよび第２のセッションに同じセッション識別子を割り当てるようＵＥに命令するために用いられる第３のインジケーション情報を保持し、識別子情報は、第２のセッションの識別子であり、第１のセッションは、ＳＭＦエンティティが第１の要求メッセージを送信する前にＳＭＦエンティティとＵＥとの間に確立されるセッションである。
【００３０】
第４の態様から第４の態様の第３の可能な実装のいずれか１つに関連して、第４の態様の第４の可能な実装において、第１のメッセージは、第１のセッションの識別子を識別子情報として用いるようＵＥに命令するために用いられる第４のインジケーション情報を保持し、識別子情報は、第１のセッションの識別子である。
【００３１】
第４の態様から第４の態様の第４の可能な実装のいずれか１つに関連して、第４の態様の第５の可能な実装において、第１のメッセージはさらに、第１のセッションと同じデータネットワークＤＮに対して第２のセッションを確立するようＵＥに命令するために用いられる第２のインジケーション情報を保持する。
【００３２】
第５の態様によれば、本発明の一実施形態は、ユーザ機器であって、セッション管理機能ＳＭＦエンティティを用いて第１のセッションを確立するよう構成される確立ユニットと、モビリティ管理機能ＡＭＦエンティティにより送信された、第２のセッションを確立するための要求を送信するようユーザ機器ＵＥに命令するために用いられる第１のメッセージを受信するよう構成される受信ユニットと、第１のセッションの識別子と同じ識別子を第２のセッションに割り当てるよう構成される割り当てユニットと、ＵＥが第２のセッションを確立することを要求することを示すために用いられる第２のメッセージをＡＭＦエンティティへ送信するよう構成される送信ユニットであって、第２のメッセージは、第２のセッションの識別子を保持し、第２のセッションの識別子は、第２のメッセージをＳＭＦエンティティへ送信するようＡＭＦエンティティに命令するために用いられる、送信ユニットとを備えるユーザ機器を提供する。
【００３３】
第５の態様に関連して、第５の態様の第１の可能な実装において、第１のメッセージは、第１のセッションの識別子と同じ識別子を第２のセッションに割り当てるようＵＥに命令するために用いられる第１のインジケーション情報を保持し、割り当てユニットは具体的には、第１のインジケーション情報に従って、第１のセッションの識別子と同じ識別子を第２のセッションに割り当てるよう構成される。
【００３４】
第５の態様または第５の態様の第１の可能な実装に関連して、第５の態様の第２の可能な実装において、ユーザ機器はさらに、第１のセッションのセッション・サービス継続性モードを取得するよう構成される取得ユニットを備え、割り当てユニットは具体的には、第１のセッションのセッション・サービス継続性モードが第１のモードであると決定し、第１のセッションの識別子と同じ識別子を識別子情報として第２のセッションに割り当てるよう構成される。
【００３５】
第６の態様によれば、本発明の一実施形態は、ユーザ機器であって、セッション管理機能ＳＭＦエンティティを用いて第１のセッションを確立するよう構成される確立ユニットと、モビリティ管理機能ＡＭＦエンティティにより送信された、第２のセッションを確立するための要求を送信するようユーザ機器ＵＥに命令するために用いられる第１のメッセージを受信するよう構成される受信ユニットと、第２のセッションを確立するよう命令するために用いられる第２のメッセージをＡＭＦエンティティへ送信するよう構成される送信ユニットであって、第１のメッセージは、識別子情報に関連付けられたＳＭＦエンティティへ第２のメッセージを送信するようＡＭＦエンティティに命令するために用いられる識別子情報を保持する、送信ユニットとを備えるユーザ機器を提供する。
【００３６】
第６の態様に関連して、第６の態様の第１の可能な実装において、ユーザ機器はさらに、第１のセッションのセッション・サービス継続性モードを取得するよう構成される取得ユニットと、第１のセッションのセッション・サービス継続性モードが第２のモードであると決定し、第１のセッションの識別子を識別子情報として決定するよう構成される決定ユニットとを備える。
【００３７】
第６の態様または第６の態様の第１の可能な実装に関連して、第６の態様の第２の可能な実装において、ユーザ機器はさらに、第１のメッセージが、第１のセッションの識別子を識別子情報として用いるようＵＥに命令するために用いられる第４のインジケーション情報を保持すると決定し、第１のセッションの識別子を識別子情報として決定し、識別子情報を第２のメッセージに付加するよう構成される決定ユニットを備え、第４のインジケーション情報は、第１のセッションの識別子を識別子情報として用いるようＵＥに命令するために用いられる。
【００３８】
第６の態様から第６の態様の第２の可能な実装に関連して、第６の態様の第３の可能な実装において、受信ユニットはさらに、ＡＭＦエンティティを用いて、ＳＭＦエンティティにより設定される識別子情報を受信するよう構成される。
【００３９】
第６の態様から第６の態様の第３の可能な実装のいずれか１つに関連して、第６の態様の第４の可能な実装において、第１のメッセージは、第１のセッションと同じデータネットワークＤＮに対して第２のセッションを確立するようＵＥに命令するために用いられる第２のインジケーション情報を保持する。
【００４０】
第７の態様によれば、本発明の一実施形態は、モビリティ管理機能ＡＭＦエンティティであって、第２のセッションを確立するための要求を送信するようＵＥに命令するために用いられる第１のメッセージをユーザ機器ＵＥへ送信するよう構成される送信ユニットと、ユーザ機器により送信された、識別子情報を保持する第２のメッセージを受信するよう構成される受信ユニットであって、識別子情報は、識別子情報に関連付けられたセッション管理機能ＳＭＦエンティティへ第２のメッセージを送信するようＡＭＦエンティティに命令するために用いられ、第２のメッセージは、第２のセッションを確立するよう命令するために用いられる、受信ユニットとを備え、送信ユニットは、識別子情報に基づいて、識別子情報に関連付けられたＳＭＦエンティティへ第２のメッセージを送信するよう構成される、ＡＭＦエンティティを提供する。
【００４１】
第７の態様に関連して、第７の態様の第１の可能な実装において、第１のメッセージは、識別子情報を第２のメッセージに付加するようＵＥに命令するために用いられる第３のインジケーション情報を保持する。
【００４２】
第７の態様または第７の態様の第１の可能な実装に関連して、第７の態様の第２の可能な実装において、識別子情報は、ＳＭＦエンティティにより設定され、受信ユニットはさらに、ＳＭＦエンティティにより送信された、識別子情報とＳＭＦエンティティの識別子との間のマッピング関係を確立するようＡＭＦエンティティに命令するために用いられる第１の要求メッセージを受信するよう構成され、ＡＭＦエンティティはさらに、第１の要求メッセージに基づいて、識別子情報とＳＭＦエンティティの識別子との間のマッピング関係を確立するよう構成される確立ユニットを備え、ＡＭＦエンティティはさらに、識別子情報に基づいて、識別子情報に対応するＳＭＦエンティティの識別子を取得するよう構成される取得ユニットを備え、送信ユニットは具体的には、ＳＭＦエンティティの識別子に関連付けられたＳＭＦエンティティへ第２のメッセージを送信するよう構成される。
【００４３】
第７の態様から第７の態様の第２の可能な実装のいずれか１つに関連して、第７の態様の第３の可能な実装において、受信ユニットはさらに、ＳＭＦエンティティにより送信された、第１のセッションの識別子とＳＭＦエンティティの識別子との間のマッピング関係を記憶するようＡＭＦエンティティに命令するために用いられる第１の要求メッセージを受信するよう構成され、第１のセッションは、ＳＭＦエンティティが第１の要求メッセージを送信する前にＳＭＦエンティティとＵＥとの間に確立されるセッションであり、ＡＭＦエンティティはさらに、第１の要求メッセージに基づいて、第１のセッションの識別子とＳＭＦエンティティとの間のマッピング関係を記憶するよう構成される記憶ユニットを備える。
【００４４】
第８の態様によれば、本発明の一実施形態は、セッション管理機能ＳＭＦエンティティであって、第１のメッセージをユーザ機器ＵＥへ送信するようＡＭＦエンティティに命令するために用いられる第１の要求メッセージをモビリティ管理機能ＡＭＦエンティティへ送信するよう構成される送信ユニットであって、第１のメッセージは、第２のセッションを確立するための第２のメッセージを送信するようＵＥに命令するために用いられる、送信ユニットと、モビリティ管理機能ＡＭＦエンティティにより送信された、第２のセッションを確立するよう命令するために用いられる第２のメッセージを受信するよう構成される受信ユニットと、第２のメッセージに基づいて、ＳＭＦエンティティとユーザ機器ＵＥとの間に第２のセッションを確立するよう構成される確立ユニットとを備えるＳＭＦエンティティを提供する。
【００４５】
第８の態様に関連して、第８の態様の第１の可能な実装において、第１のメッセージは、識別子情報を第２のメッセージに付加するようＵＥに命令するために用いられる第３のインジケーション情報を保持する。
【００４６】
第８の態様または第８の態様の第１の可能な実装に関連して、第８の態様の第２の可能な実装において、ＳＭＦエンティティはさらに、第２のメッセージをＳＭＦエンティティへ送信するようＡＭＦエンティティに命令するために用いられる識別子情報を設定するよう構成される設定ユニットを備え、第１の要求メッセージはさらに、識別子情報とＳＭＦエンティティとの間のマッピング関係を確立するようＡＭＦエンティティに命令するために用いられる。
【００４７】
第９の態様によれば、本発明の一実施形態は、メモリと、プロセッサと、バスと、送受信機とを備えるモビリティ管理機能ＡＭＦエンティティであって、メモリは、コードおよびデータを記憶し、プロセッサは、バスによりメモリに接続され、プロセッサがメモリにおけるコードを動作させることで、ＡＭＦエンティティが第３の態様から第３の態様の第６の可能な実装のいずれか１つに係るセッションを確立するための方法を行う、ＡＭＦエンティティを提供する。
【００４８】
第１０の態様によれば、本発明の一実施形態は、メモリと、プロセッサと、バスと、送受信機とを備えるセッション管理機能ＳＭＦエンティティであって、メモリは、コードおよびデータを記憶し、プロセッサは、バスによりメモリに接続され、プロセッサがメモリにおけるコードを動作させることで、ＳＭＦエンティティが第４の態様から第４の態様の第５の可能な実装のいずれか１つに係るセッションを確立するための方法を行う、ＳＭＦエンティティを提供する。
【００４９】
第１１の態様によれば、本発明の一実施形態は、メモリと、プロセッサと、バスと、送受信機とを備えるユーザ機器であって、メモリは、コードおよびデータを記憶し、プロセッサは、バスによりメモリに接続され、プロセッサがメモリにおけるコードを動作させることで、ユーザ機器が第１の態様から第１の態様の第４の可能な実装のいずれか１つに係るセッションを確立するための方法または第２の態様から第２の態様の第４の可能な実装のいずれか１つに係るセッションを確立するための方法を行う、ユーザ機器を提供する。
【００５０】
第１２の態様によれば、本発明の一実施形態は、命令を備え、命令がＡＭＦエンティティ上で動作するとき、ＡＭＦエンティティは、第３の態様から第３の態様の第６の可能な実装のいずれか１つに係るセッションを確立するための方法を行うことが可能となり、または、命令がＳＭＦエンティティ上で実行されるとき、ＳＭＦエンティティは、第４の態様から第４の態様の第５の可能な実装のいずれか１つに係るセッションを確立するための方法を行うことが可能となり、または、命令がユーザ機器上で動作するとき、ユーザ機器は、第１の態様から第１の態様の第４の可能な実装のいずれか１つに係るセッションを確立するための方法または第２の態様から第２の態様の第４の可能な実装のいずれか１つに係るセッションを確立するための方法を行うことが可能となる、コンピュータ可読記憶媒体を提供する。
【００５１】
第１３の態様によれば、本発明の一実施形態は、セッションを確立するためのシステムであって、第７の態様から第７の態様の第３の可能な実装のいずれか１つに係るＡＭＦエンティティと、第８の態様から第８の態様の第２の可能な実装のいずれか１つに係るＳＭＦエンティティと、第５の態様から第５の態様の第２の可能な実装のいずれか１つに係るユーザ機器または第６の態様から第６の態様の第４の可能な実装のいずれか１つに係るユーザ機器とを備えるシステムを提供する。
【図面の簡単な説明】
【００５２】
【図１ａ】従来技術に係るセッションを確立するための方法の第１の概略フローチャートである。
【００５３】
【図１ｂ】従来技術に係るセッションを確立するための方法の第２の概略フローチャートである。
【００５４】
【図２ａ】本発明の一実施形態に係るセッションを確立するための方法が適用されるシステムのアーキテクチャ図である。
【００５５】
【図２ｂ】本発明の一実施形態に係るＡＭＦエンティティの概略構造図である。
【００５６】
【図２ｃ】本発明の一実施形態に係るＳＭＦエンティティの概略構造図である。
【００５７】
【図２ｄ】本発明の一実施形態に係るＵＥの概略構造図である。
【００５８】
【図３】本発明の一実施形態に係るセッションを確立するための方法の第１の概略フローチャートである。
【００５９】
【図４Ａ】本発明の一実施形態に係るセッションを確立するための方法の第２の概略フローチャートである。
【図４Ｂ】本発明の一実施形態に係るセッションを確立するための方法の第２の概略フローチャートである。
【００６０】
【図５Ａ】本発明の一実施形態に係るセッションを確立するための方法の第３の概略フローチャートである。
【図５Ｂ】本発明の一実施形態に係るセッションを確立するための方法の第３の概略フローチャートである。
【００６１】
【図６Ａ】本発明の一実施形態に係るセッションを確立するための方法の第４の概略フローチャートである。
【図６Ｂ】本発明の一実施形態に係るセッションを確立するための方法の第４の概略フローチャートである。
【００６２】
【図７Ａ】本発明の一実施形態に係るセッションを確立するための方法の第５の概略フローチャートである。
【図７Ｂ】本発明の一実施形態に係るセッションを確立するための方法の第５の概略フローチャートである。
【００６３】
【図８】本発明の一実施形態に係るセッションを確立するための方法の具体的使用の概略フローチャートである。
【００６４】
【図９】本発明の一実施形態に係るセッションを確立するための別の方法の具体的使用の概略フローチャートである。
【００６５】
【図１０Ａ】本発明の一実施形態に係るセッションを確立するための別の方法の具体的使用の概略フローチャートである。
【図１０Ｂ】本発明の一実施形態に係るセッションを確立するための別の方法の具体的使用の概略フローチャートである。
【００６６】
【図１１ａ】本発明の一実施形態に係るＡＭＦエンティティの第１の概略構造図である。
【００６７】
【図１１ｂ】本発明の一実施形態に係るＡＭＦエンティティの第２の概略構造図である。
【００６８】
【図１２ａ】本発明の一実施形態に係るＳＭＦエンティティの第１の概略構造図である。
【００６９】
【図１２ｂ】本発明の一実施形態に係るＳＭＦエンティティの第２の概略構造図である。
【００７０】
【図１３ａ】本発明の一実施形態に係るユーザ機器の第１の概略構造図である。
【００７１】
【図１３ｂ】本発明の一実施形態に係るユーザ機器の第２の概略構造図である。
【００７２】
【図１３ｃ】本発明の一実施形態に係るユーザ機器の第３の概略構造図である。
【発明を実施するための形態】
【００７３】
本発明の実施形態の技術的解決手段を明確に説明するべく、本発明の実施形態において、「第１」および「第２」などの用語は、基本的に同じ機能または目的を有する同じ項目または類似の項目を区別するために用いられている。当業者であれば、「第１」および「第２」などの用語は、数量または実行の順序を限定するものではないことが理解されよう。
【００７４】
本発明の実施形態におけるセッション・サービス継続性モード１は、図１ａに示すように、新たなセッションを確立するためにＵＰＦエンティティが再選択される必要があることをＳＭＦエンティティが決定したときに、まずＳＭＦエンティティがユーザ機器と第１のＵＰＦエンティティとの間に確立された第１のセッションを解放し、次いでＳＭＦエンティティが直ちに、ＡＭＦエンティティを用いて、セッションを再確立するよう命令するために用いられる要求メッセージ（例えば図１ａに示す第１のメッセージ）をユーザ機器へ送信する、ということを示すことに留意されたい。最後に、ＳＭＦエンティティは、ユーザ機器により送信されるセッション確立接続要求（例えば以下の実施形態における第２のメッセージ）に基づいて、ユーザ機器と第２のＵＰＦエンティティとの間に第２のセッションを確立し、最後に第２のセッションをサービス提供する第２のＵＰＦエンティティを用いてデータを送信する。換言すると、第１のセッションは、第２のセッションが確立される前に、ＳＭＦエンティティによって解放済みである。
【００７５】
セッション・サービス継続性モード２は、新たなセッションを確立するためにＵＰＦエンティティが再選択される必要があることをＳＭＦエンティティが決定したときに、まずＳＭＦエンティティがＡＭＦエンティティを用いて第１のメッセージをユーザ機器へ送信し、第１のメッセージは、ＳＭＦエンティティが第２のＵＰＦエンティティを用いて第２のＵＰＦエンティティとユーザ機器との間に第２のセッションを確立するように、予め設定された時間内にセッション確立接続要求（例えば第２のメッセージ）を送信するようユーザ機器に命令するために用いられ、そしてＳＭＦエンティティが、予め設定された時間の後に第１のセッション、すなわち第１のＵＰＦエンティティとユーザ機器との間に確立された第１のセッションを解放する、ということを示す。換言すると、第１のセッションは、第２のセッションの確立後、予め設定された時間の後に、ＳＭＦエンティティによって解放される。
【００７６】
本発明の実施形態における第１のモードは、セッション・サービス継続性モード１、すなわちＳＳＣ１であり、第２のセッション・サービス継続性モードは、セッション・サービス継続性モード２、すなわちＳＳＣ２であることに留意されたい。
【００７７】
ＳＳＣ１は、ネットワーク側が第１のセッションの解放をトリガして、直ちに第２のセッションを確立するようＵＥに命令し得ることを示し、第２のセッションのデータネットワークＤＮは、第１のセッションのＤＮと同じである。ＳＳＣ１においては、まず第１のセッションが解放され、次いで第２のセッションが確立される。
【００７８】
ＳＳＣ２は、ネットワーク側が第２のセッションを確立するようＵＥをトリガし得ることを示し、第２のセッションのデータネットワークＤＮは、第１のセッションのＤＮと同じである。ＳＳＣ２においては、まず第２のセッションが確立され、次いで第１のセッションが解放される。
【００７９】
しかしながら、従来技術では、ＳＭＦエンティティがセッション・サービス継続性モード１またはセッション・サービス継続性モード２のどちらにおいてユーザ機器とＵＰＦエンティティとの間にセッションを確立するかに関わらず、セッション確立接続要求がＡＭＦエンティティによりＳＭＦエンティティへ転送される必要がある。したがって、ＡＭＦエンティティがＳＭＦエンティティを選択するという課題が存在する。結果として、処理効率が低いのみでなく、新たに選択されたＳＭＦエンティティがセッションの再確立をトリガするＳＭＦエンティティと一致しない場合に、新たに選択されたＳＭＦエンティティがＵＰＦエンティティを再選択するという課題も存在する。例えば、第１のＳＭＦエンティティは、セッション確立接続要求を送信するようユーザ機器をトリガし（第１のＳＭＦエンティティがセッション確立接続要求を送信するようユーザ機器をトリガする前に、第２のＵＰＦエンティティがユーザ機器にサービス提供するよう選択済みであり、第２のＵＰＦエンティティは、ユーザプレーン機能を向上させ得るＵＰＦエンティティであり、第１のＳＭＦエンティティにより、ユーザ機器について、ユーザ機器の位置、送信データの特徴、および第２のＵＰＦエンティティの位置に基づいて選択される）、セッション確立接続要求は、ＡＭＦエンティティによりＳＭＦエンティティへ転送される。したがって、ＡＭＦエンティティは、セッション確立接続要求を第２のＳＭＦエンティティへ送信してよい。したがって、第２のＳＭＦエンティティは、セッション確立接続要求を受信した後にＵＰＦエンティティを再選択する。第２のＳＭＦエンティティにより再選択されるＵＰＦエンティティは、第３のＵＰＦエンティティであってもよく、または第１のＵＰＦエンティティであってもよく、したがってユーザ機器にサービス提供することを第１のＳＭＦエンティティが予期するＵＰＦエンティティとは一致しない。
【００８０】
結論として、本発明の実施形態においては、識別子情報がセッション確立接続要求（すなわち第２のメッセージ）に保持され、これにより、ＡＭＦエンティティは、ユーザ機器により送信されたセッション確立接続要求を受信した後に、識別子情報に基づいて、セッション確立接続要求を送信するようユーザ機器をトリガするＳＭＦエンティティへセッション確立接続要求を転送することができる。このようにすることで、ＡＭＦエンティティがＳＭＦエンティティを再選択し、ＳＭＦエンティティがＵＰＦエンティティを再選択することによる低効率の課題が回避される。
【００８１】
図２ａは、本発明の一実施形態に係るセッションを確立するための方法が適用されるシステムのアーキテクチャ図である。システムは、モビリティ管理機能ＡＭＦエンティティ１０、１または複数のセッション管理機能ＳＭＦエンティティ２０、１または複数のユーザ機器ＵＥ３０、データネットワーク（ＤＮ）４０、１または複数のユーザプレーン機能エンティティ５０、アクセス局（（Ｒａｄｉｏ）Ａｃｃｅｓｓ  Ｎｏｄｅ、（無線）アクセス局）６０、パケット制御機能（ＰＣＦ）エンティティ７０、アプリケーション機能（ＡＦ）エンティティ８０、ユーザサブスクリプション情報を記憶するよう構成される統合データ管理（Ｕｎｉｆｉｅｄ  Ｄａｔａ  Ｍａｎａｇｅｍｅｎｔ、ＵＤＭ）エンティティ９０、および認証サーバ機能（ＡＵＳＦ）エンティティ００を含む。
【００８２】
モビリティ管理機能ＡＭＦエンティティ１０は、ＵＥ３０により送信されたセッション接続確立要求に基づいてＳＭＦエンティティを選択するよう構成され、これにより、選択されたＳＭＦエンティティがＵＥ３０とＵＰＦエンティティ５０との間にセッションを確立する。ＡＭＦエンティティ１０はさらに、ＳＭＦエンティティにより送信された第１のメッセージをユーザ機器へ転送するよう構成され、第１のメッセージは、第２のセッションを確立することを要求するための第２のメッセージ（例えばセッション接続確立要求メッセージ）を送信するようユーザ機器に命令するために用いられ、第２のメッセージは、第２のセッションを確立するよう命令するために用いられる。したがって、ＳＭＦエンティティは、第２のメッセージを受信した後に、第２のメッセージに基づいてＵＥ３０とＵＰＦエンティティとの間に第２のセッションを確立してよい。
【００８３】
任意選択的に、ＡＭＦエンティティ１０は、セッションの識別子と、セッションを確立するＳＭＦエンティティとの間のマッピング関係を記憶し、ＳＭＦエンティティにより設定される識別子情報に基づいて、識別子情報とＳＭＦエンティティとの間のマッピング関係を確立するよう構成される。
【００８４】
ＳＭＦエンティティ２０は、ＵＥ３０の位置情報またはＵＥ３０により送信されるデータの特徴またはＵＰＦ５０とＵＥ３０との間の位置、およびＵＰＦのサービス品質に基づいて、ＵＰＦをＵＥに再割り当てするよう構成され、それによりＵＥと新たに割り当てられたＵＰＦとの間にセッションを再確立する。これにより、セッションが再確立された後にユーザプレーンを最適化することができる。ＳＭＦエンティティ２０はさらに、識別子情報を設定するよう構成され、識別子情報は、第２のメッセージをＳＭＦエンティティへ送信するようＡＭＦエンティティに命令するために用いられる。セッション管理機能エンティティ２０はさらに、ＵＥ３０とＵＰＦエンティティ５０との間にセッション、例えばプロトコルデータユニット（ＰＤＵ）セッションを確立するよう構成され、ＰＤＵセッションは、ＵＥ３０をＤＮ４０に接続するために用いられ、ＰＤＵセッションは、ＰＤＵデータパケットを提供するために用いられる。
【００８５】
複数のユーザ機器ＵＥ３０が、確立されたセッションに基づいてＤＮと通信するよう構成される。
【００８６】
データネットワークＤＮ４０は、データサービスを提供するよう構成される外部ネットワークである。
【００８７】
アクセス局６０は、ＵＥ３０にデータサービスを提供する、例えばＵＥ３０により送信されたデータを受信する、またはＵＥ３０へデータを送信するよう構成される。実際の使用プロセスにおいて、アクセス局６０は、基地局であってよい。本発明の本実施形態において、基地局（ＢＳ）は、ユーザ機器（ＵＥ）、または中継局などの別の通信局と通信するデバイスであってよく、基地局は、特定の物理的領域における通信カバレッジを提供してよい。
【００８８】
ＰＣＦエンティティ７０は、無線周波数部分とパケットネットワーク（ＩＰネットワーク）との間のインタフェースとして機能するよう構成される。
【００８９】
ＡＦエンティティ８０は、アプリケーションの機能を有し、ルーティングに影響を及ぼすよう構成される。
【００９０】
例えば、図２ａに示すように、ＡＭＦエンティティ１０は、インタフェースＮ１１を用いてＳＭＦエンティティ２０と通信する。ＡＭＦエンティティ１０は、インタフェースＮ１を用いてＵＥ３０と通信する。ＡＭＦエンティティ１０は、インタフェースＮ２を用いてアクセス局６０と通信する。ＡＭＦエンティティ１０は、インタフェースＮ１２を用いてＡＵＳＦエンティティ００と通信する。ＡＭＦエンティティ１０は、インタフェースＮ８を用いてＵＤＭエンティティと通信する。ＡＭＦエンティティ１０は、インタフェースＮ１５を用いてＰＣＦエンティティと通信する。ＳＭＦエンティティ２０は、インタフェースＮ１０を用いてＵＤＭエンティティ９０と通信する。ＳＭＦエンティティ２０は、インタフェースＮ４を用いてＵＰＦエンティティ５０と通信する。ＵＰＦエンティティ５０は、インタフェースＮ６を用いてデータネットワーク４０と通信する。ＰＣＦエンティティは、インタフェースＮ５を用いてＡＦエンティティと通信する。
【００９１】
図２ｂは、本発明の一実施形態に係るＡＭＦエンティティの概略構造図である。図２ｂからわかるように、ＡＭＦエンティティ１０は、プロセッサ１０１、送受信機１０２、メモリ１０４、およびバス１０３を含む。送受信機１０２、プロセッサ１０１、およびメモリ１０４は、バス１０３によって相互接続される。バス１０３は、ＰＣＩバスまたはＥＩＳＡバス等であってよい。バスは、アドレスバス、データバス、および制御バス等に分類されてよい。図示の簡単のために、図２ｂにおいてはバスを１本の太線のみを用いて示している。しかしながら、これは、１つのバスのみまたは１種類のバスのみが存在することを意味するものではない。メモリ１０４は、ＡＭＦエンティティ１０のプログラムコードおよびデータを記憶するよう構成される。送受信機１０２は、別のデバイスと通信することにおいてＡＭＦエンティティ１０をサポートするよう構成される。プロセッサ１０１は、本発明の一実施形態に係るセッションを確立するための方法を実現するために、メモリ１０４に記憶されたプログラムコードおよびデータを実行することにおいて、ＡＭＦエンティティ１０をサポートするよう構成される。
【００９２】
図２ｃは、本発明の一実施形態に係るＳＭＦエンティティの概略構造図である。図２ｃからわかるように、ＳＭＦエンティティ２０は、プロセッサ２０１、送受信機２０２、メモリ２０４、およびバス２０３を含む。送受信機２０２、プロセッサ２０１、およびメモリ２０４は、バス２０３によって相互接続される。バス２０３は、ＰＣＩバスまたはＥＩＳＡバス等であってよい。バスは、アドレスバス、データバス、および制御バス等に分類されてよい。図示の簡単のために、図２ｃにおいてはバスを１本の太線のみを用いて示している。しかしながら、これは、１つのバスのみまたは１種類のバスのみが存在することを意味するものではない。メモリ２０４は、ＳＭＦエンティティ２０のプログラムコードおよびデータを記憶するよう構成される。送受信機２０２は、別のデバイスと通信することにおいてＳＭＦエンティティ２０をサポートするよう構成される。プロセッサ２０１は、本発明の一実施形態に係るセッションを確立するための方法を実現するために、メモリ２０４に記憶されたプログラムコードおよびデータを実行することにおいて、ＳＭＦエンティティ２０をサポートするよう構成される。
【００９３】
図２ｄは、本発明の一実施形態に係るユーザ機器の概略構造図である。図２ｄからわかるように、ユーザ機器３０は、プロセッサ３０１、送受信機３０２、メモリ３０４、およびバス３０３を含む。送受信機３０２、プロセッサ３０１、およびメモリ３０４は、バス３０３によって相互接続される。バス３０３は、ＰＣＩバスまたはＥＩＳＡバス等であってよい。バスは、アドレスバス、データバス、および制御バス等に分類されてよい。図示の簡単のために、図２ｄにおいてはバスを１本の太線のみを用いて示している。しかしながら、これは、１つのバスのみまたは１種類のバスのみが存在することを意味するものではない。メモリ３０４は、ユーザ機器３０のプログラムコードおよびデータを記憶するよう構成される。送受信機３０２は、別のデバイスと通信することにおいてユーザ機器３０をサポートするよう構成される。プロセッサ３０１は、本発明の一実施形態に係るセッションを確立するための方法を実現するために、メモリ３０４に記憶されたプログラムコードおよびデータを実行することにおいて、ユーザ機器３０をサポートするよう構成される。
【００９４】
本発明の実施形態において、ＵＥは、無線ネットワーク全体に分散されてよく、各ＵＥは、静止していても移動体であってもよい。
【００９５】
ＵＥは、端末（ｔｅｒｍｉｎａｌ）、移動局（ｍｏｂｉｌｅ  ｓｔａｔｉｏｎ）、加入者ユニット（ｓｕｂｓｃｒｉｂｅｒ  ｕｎｉｔ）、または局（ｓｔａｔｉｏｎ）等であってよい。ＵＥは、携帯電話（ｃｅｌｌｕｌａｒ  ｐｈｏｎｅ）、パーソナルデジタルアシスタント（ｐｅｒｓｏｎａｌ  ｄｉｇｉｔａｌ  ａｓｓｉｓｔａｎｔ、ＰＤＡ）、無線モデム（Ｍｏｄｅｍ）、無線通信デバイス、ハンドヘルド（ｈａｎｄｈｅｌｄ）デバイス、ラップトップコンピュータ（ｌａｐｔｏｐ  ｃｏｍｐｕｔｅｒ）、コードレス電話（ｃｏｒｄｌｅｓｓ  ｐｈｏｎｅ）、または無線ローカルループ（ｗｉｒｅｌｅｓｓ  ｌｏｃａｌ  ｌｏｏｐ、ＷＬＬ）局等であってよい。ＵＥがＭ２Ｍ通信に適用される場合、ＵＥは、Ｍ２Ｍ端末と称されてよく、具体的にはＭ２Ｍ通信をサポートするスマートメータまたはスマート家電等であってよい。
【００９６】
図３に示すように、本発明の一実施形態に係るセッションを確立するための方法は、以下の段階を含む。
【００９７】
Ｓ１０１ａ。ユーザ機器が、セッション管理機能ＳＭＦエンティティを用いて第１のセッションを確立する。
【００９８】
Ｓ１０１。セッション管理機能ＳＭＦエンティティが、第１の要求メッセージをモビリティ管理機能ＡＭＦエンティティへ送信する。第１の要求メッセージは、第１のメッセージをユーザ機器ＵＥへ送信するようＡＭＦエンティティに命令するために用いられ、第１のメッセージは、第２のセッションを確立するための要求を送信するようＵＥに命令するために用いられる。
【００９９】
本発明の本実施形態における第１のメッセージは、セッション解放通知メッセージであってよく、セッション解放通知メッセージは、第２のメッセージ、すなわちセッション接続確立要求メッセージを送信するようＵＥに命令するために用いられる。
【０１００】
ＳＭＦエンティティが異なるセッション・サービス継続性モードを用いてユーザ機器とのセッションを確立する場合、第１のメッセージに保持される内容も異なっていてよいことを理解されたい。例えば、ＳＭＦエンティティがセッション・サービス継続性モード１を用いてユーザ機器とのセッションを確立する場合、第１のメッセージはセッション原因値を保持し、セッション原因値は第２のセッションを再確立することであってよく、または、ＳＭＦエンティティがセッション・サービス継続性モード２を用いてユーザ機器とのセッションを確立する場合、第１のメッセージはセッション解放時間とＳＭＦエンティティにより設定される識別子情報とを保持し、もしくは、第１のメッセージはセッション解放時間とセッション解放原因値とを保持し、セッション解放原因値はＵＰＦエンティティを置換することであってよい。
【０１０１】
Ｓ１０２。ＡＭＦエンティティが、第１の要求メッセージを受信する。
【０１０２】
Ｓ１０３。ＡＭＦエンティティが、第１のメッセージをＵＥへ送信する。第１のメッセージは、第２のセッションを確立するための要求を送信するようＵＥに命令するために用いられる。
【０１０３】
Ｓ１０４。ＵＥが、第２のメッセージをＡＭＦエンティティへ送信する。第２のメッセージは、識別子情報を保持し、識別子情報は、第２のメッセージをＳＭＦエンティティへ送信するようＡＭＦエンティティに命令するために用いられ、第２のメッセージは、第２のセッションを再確立するよう命令するために用いられる。
【０１０４】
Ｓ１０５。ＡＭＦエンティティが、第２のメッセージを受信する。
【０１０５】
Ｓ１０６。ＡＭＦエンティティが、識別子情報に基づいて、識別子情報に関連付けられたＳＭＦエンティティへ第２のメッセージを送信する。
【０１０６】
Ｓ１０７ａ。ＳＭＦエンティティが、ＡＭＦエンティティにより送信された第２のメッセージを受信する。
【０１０７】
Ｓ１０７。ＳＭＦエンティティが、第１のユーザプレーン機能ＵＰＦエンティティを用いて、第２のメッセージに基づいてＳＭＦエンティティとＵＥとの間に第２のセッションを再確立する。
【０１０８】
本発明の本実施形態に係るセッションを確立するための方法においては、識別子情報が第２のメッセージに保持され、次いでＡＭＦエンティティが、識別子情報に基づいて、識別子情報により指定されるＳＭＦエンティティへ第２のメッセージを送信する。これは、ＳＭＦエンティティが第２のメッセージを送信するようユーザ機器をトリガする目的が、セッションを再確立するためであるからである。しかしながら、セッションを確立するためのシステムにおいて、ユーザ機器により送信される第２のメッセージは、ＡＭＦエンティティによってのみＳＭＦエンティティへ転送されることができ、ＡＭＦエンティティは、第２のメッセージを転送するときにＳＭＦエンティティを選択するプロセスを行う必要がある。したがって、本発明の本実施形態において、ＡＭＦエンティティが第２のメッセージを受信したときに再びＳＭＦエンティティを選択するプロセスを行う必要があるので処理効率が低いという課題を回避し、ＡＭＦエンティティにより選択されたＳＭＦエンティティが、第２のメッセージを送信するようユーザ機器をトリガするＳＭＦエンティティと一致しないという課題を回避するために、識別子情報が用いられてよい。さらに、本発明の本実施形態において、ＳＭＦエンティティが識別子情報を受信した後にＳＭＦエンティティが再びＵＰＦエンティティを再選択するプロセスを行わないことを可能とするために、識別子情報が用いられてよい。その理由は、通常、ＳＭＦエンティティが、第２のメッセージを送信するようＵＥをトリガする前に、現時点でＵＥとセッションを確立しているＵＰＦエンティティ（例えば第１のＵＰＦエンティティ）が既にユーザ要件を満たせないことを決定済みであり、ＵＥと第２のセッションを再確立するために適切なＵＰＦエンティティ（例えば第１のＵＰＦエンティティ）を選択済みであることに起因して、ＳＭＦエンティティが第２のメッセージを送信するようＵＥをトリガするからである。これにより、第２のセッションが確立された後、最終的にユーザプレーンをさらに最適化することができる。
【０１０９】
本発明の本実施形態が適用されるシナリオは、ＵＥおよびＳＭＦが第１のセッションを確立済みである場合であることを理解されたい。しかしながら、データ交換プロセスにおいて、ＳＭＦエンティティは、第１のセッションのサービスを提供するＵＰＦエンティティが要件を満たせないと決定し、第２のセッションを確立するためにＵＥについて適切な第１のＵＰＦエンティティを選択する。
【０１１０】
ＵＥとＵＰＦエンティティとの間に形成されるセッション・サービス継続性モードは、セッション・サービス継続性モード１およびセッション・サービス継続性モード２であってよいが、セッション・サービス継続性モードが異なれば、ＳＭＦエンティティがＵＥと通信するときに送信される情報の内容が異なることになり、ＳＭＦエンティティが第１のセッションを解放する機会もまた異なる。例えば、セッション・サービス継続性モード１においては、第２のセッションが確立される前にＳＭＦエンティティが第１のセッションを解放済みであり、セッション・サービス継続性モード２においては、第２のセッションが確立された後にセッション解放時間が到来して初めて、ＳＭＦエンティティが第１のセッションを解放する。
【０１１１】
したがって、以下では、セッション・サービス継続性モード１およびセッション・サービス継続性モード２におけるセッションを確立するための方法を別々に説明する。
【０１１２】
まず、第１のシナリオがセッション・サービス継続性モード１である例を説明に用いる。
【０１１３】
図４Ａおよび図４Ｂに示すように、本発明の本実施形態における第１の要求メッセージはさらに、ＳＭＦエンティティの識別子と第１のセッションの識別子との間のマッピング関係を確立するようＡＭＦエンティティに命令するために用いられる。具体的には、第１の要求メッセージは、第１のメッセージおよび通知メッセージを保持する。第１のメッセージは、セッション原因値を保持し、セッション原因値は、第２のセッションを再確立することである。通知メッセージは、ＡＭＦエンティティによりセッションを再確立する原因が、ＵＰＦエンティティを置換することであることを示すために用いられる。この場合、段階Ｓ１０３の前に、本発明の本実施形態はさらに以下を含む。
【０１１４】
Ｓ１０８。ＡＭＦエンティティが、通知メッセージに基づいて、第１のセッションの識別子とＳＭＦエンティティとの間のマッピング関係を記憶する。
【０１１５】
第１のセッションの識別子は、第１のセッションを一意に識別するために用いられる。本発明の本実施形態における第１のセッションの識別子は、要件に基づいて設定されてよく、第１のセッションの識別子とＳＭＦエンティティとの間のマッピング関係は、表の形式でＡＭＦエンティティの記憶デバイスに記憶されてよい。
【０１１６】
これに対応して、段階Ｓ１０４の前に、本発明の本実施形態はさらに以下を含んでよい。
【０１１７】
Ｓ１０９。ユーザ機器が、第１のセッションの識別子と同じ識別子を第２のセッションに割り当て、第２のセッションの識別子を識別子情報として第２のメッセージに付加する。
【０１１８】
第２のセッションの識別子は、第２のセッションを一意に識別するために用いられる。
【０１１９】
ユーザ機器がＳ１０９を行った後、ユーザ機器は、第２のセッションの識別子を識別子情報として決定し、識別子情報を第２のメッセージに付加することを理解されたい。第２のセッションの識別子は、第２のメッセージをＳＭＦエンティティへ送信するようＡＭＦエンティティに命令するために用いられ、ＳＭＦエンティティは、第２の識別子に関連付けられたＳＭＦエンティティである。
【０１２０】
ユーザ機器は、第１のメッセージに保持される第１のインジケーション情報に基づいて、第１のセッションの識別子と同じ識別子を第２のセッションに対して決定してもよく、または、第１のセッションの識別子と同じ識別子を第２のセッションに割り当てることを自ら決定してもよい。したがって、１つの態様において、本発明の本実施形態における段階Ｓ１０９は、以下のように実装されてよい。
【０１２１】
Ｓ１０９１ａ。ＵＥが、第１のインジケーション情報に基づいて、第１のセッションの識別子と同じ識別子を第２のセッションに割り当てる。
【０１２２】
第１のインジケーション情報は、第１のメッセージを用いてユーザ機器へ送信され、第１のインジケーション情報は、第１のセッションの識別子と同じ識別子を第２のセッションに割り当てるようＵＥに命令するために用いられる。
【０１２３】
別の態様において、本発明の本実施形態における段階Ｓ１０９はさらに、以下のように実装されてよい。
【０１２４】
Ｓ１０９１ｂ。ユーザ機器が、第１のセッションのセッション・サービス継続性モードを取得する。
【０１２５】
ユーザ機器は、別のデバイスとやり取りすることにより第１のセッションのセッション・サービス継続性モードを取得してよいことを理解されたい。
【０１２６】
ＵＥにより取得される第１のセッションのセッション・サービス継続性モードは、具体的には、ＵＥが第１のセッションを確立するときにＳＭＦエンティティによって設定されてもよく、または第１のセッションが確立された後にＳＭＦエンティティによってＵＥに対して更新されてもよい。具体的実装は、以下を含む。
【０１２７】
ＳＳＣモード選択ポリシが、ＵＥについて設定されてよい。ＳＳＣモード選択ポリシは、アプリケーションまたはアプリケーション群とＳＳＣモードとの間の関連付け関係を決定するために用いられる。アプリケーションがデータを伝送することを要求すると、ＵＥは、ＳＳＣモード選択ポリシに基づいて、確立されるべきセッションのＳＳＣモードを決定し、ＵＥは、要求されたＳＳＣモードをセッション確立要求メッセージに付加し、ＳＭＦエンティティは、ＵＥにより要求されたＳＳＣモードを承諾し、または要求されたＳＳＣモードをサブスクリプションおよび事業者のポリシ等に基づいて修正し、最後にＳＭＦエンティティは、セッションのＳＳＣモードを決定した後に、選択または承諾されたＳＳＣモードをＵＥに通知する。
【０１２８】
代替的に、ＵＥは、ＳＳＣモードをセッション確立要求メッセージに付加しなくてよいが、ＳＭＦが、ＵＥサブスクリプションおよび事業者のポリシ等に基づいてセッションのＳＳＣモードを直接決定し、最後にＳＭＦエンティティが選択または承諾されたＳＳＣモードをＵＥに通知する。
【０１２９】
Ｓ１０９２ｂ。ユーザ機器が、第１のセッションのセッション・サービス継続性モードが第１のモードであると決定し、第１のセッションの識別子と同じ識別子を第２のセッションに割り当てる。
【０１３０】
任意選択的に、本発明の本実施形態における第２のメッセージは、さらに識別子情報を保持し、識別子情報は、識別子情報に関連付けられたＳＭＦエンティティへ第２のメッセージを送信するようＡＭＦエンティティに命令するために用いられる。
【０１３１】
この場合、図３に関連して、図５Ａおよび図５Ｂに示すように、段階Ｓ１０１の前に、本発明の本実施形態はさらに以下を含む。
【０１３２】
Ｓ１１０。ＳＭＦエンティティが、識別子情報を設定する。
【０１３３】
ＳＭＦエンティティにより設定される識別子情報は、ＡＭＦエンティティにより第１のメッセージの形式でユーザ機器へ転送され、第１のメッセージはさらに識別子情報を保持し、第１のメッセージはさらに、識別子情報を第２のメッセージに付加するようユーザ機器に命令するために用いられる。
【０１３４】
任意選択的に、第１の要求メッセージはさらに識別子情報を保持し、第１の要求メッセージはさらに、識別子情報とＳＭＦエンティティの識別子との間のマッピング関係を確立するようＡＭＦエンティティに命令するために用いられる。したがって、段階Ｓ１０６の前に、本発明の本実施形態により提供される方法は、さらに以下を含む。
【０１３５】
任意選択的に、識別子情報は、ＳＭＦエンティティの識別子を一意に識別するために用いられるインジケーション情報であり、番号であってもよく、または他の情報であってもよい。これは、本発明の本実施形態において限定されるものではない。ＳＭＦエンティティの識別子は、ＳＭＦエンティティを一意に識別するために用いられ、ＳＭＦエンティティのＭＡＣアドレスであってもよく、またはＳＭＦエンティティの製品番号であってもよい。例えば、識別子情報が１０１であり、ＳＭＦエンティティの識別子が第１の識別子であり、この場合、ＡＭＦエンティティは、表１に示すように、ＡＭＦエンティティの記憶装置において以下のマッピング関係を確立してよい。
表１  マッピング関係表
【表１】
0006989226.tif 000002
【０１３６】
Ｓ１１１。ＡＭＦエンティティが、第１の要求メッセージに基づいて、識別子情報とＳＭＦエンティティの識別子との間のマッピング関係を確立する。
【０１３７】
第２のメッセージは、識別子情報を保持してもよく、または第２のセッションの識別子を保持してもよいので、段階Ｓ１０６の実装は、異なっていてよく、以下で第２のメッセージの内容に関連して詳細に説明される。
【０１３８】
１つの態様において、第２のメッセージが識別子情報を保持する場合、段階Ｓ１０６は、以下のように実装されてよい。
【０１３９】
Ｓ１０６１ａ。ＡＭＦエンティティは、識別子情報に基づいて、識別子情報とのマッピング関係を有するＳＭＦエンティティを決定する。
【０１４０】
任意選択的に、ＡＭＦエンティティは、識別子情報に基づいて、識別子情報とＳＭＦエンティティとの間の予め確立されたマッピング関係において、識別子情報とのマッピング関係を有するＳＭＦエンティティを決定してよい。
【０１４１】
Ｓ１０６２ａ。ＡＭＦエンティティが、識別子情報とのマッピング関係を有するＳＭＦエンティティへ第２のメッセージを送信する。
【０１４２】
別の態様において、第２のメッセージが第２のセッションの識別子を保持する場合、段階Ｓ１０６は、以下のように実装されてよい。
【０１４３】
Ｓ１０６１ｂ。ＡＭＦエンティティが、第２のセッションの識別子に基づいて、第２のセッションの識別子に関連付けられたＳＭＦエンティティを決定する。
【０１４４】
任意選択的に、ＡＭＦエンティティは、第２のセッションの識別子に基づいて、段階Ｓ１０８において確立される第１のセッションの識別子とＳＭＦエンティティとの間のマッピング関係において、第２のセッションの識別子に関連付けられたＳＭＦエンティティを決定する。第２のセッションの識別子は、第１のセッションの識別子と同じであるので、第２のセッションの識別子は、第２のセッションの識別子に関連付けられたＳＭＦエンティティを決定するために用いられてよい。
【０１４５】
Ｓ１０６２ｂ。ＡＭＦエンティティが、第２のセッションの識別子に関連付けられたＳＭＦエンティティへ第２のメッセージを送信する。
【０１４６】
結論として、セッション・サービス継続性モード１のシナリオにおいて、第２のメッセージは、第２のセッションの識別子を保持してよい。この場合、第１のセッションの識別子とＳＭＦエンティティの識別子との間のマッピング関係が、ＡＭＦエンティティにおいて確立される必要がある。代替的に、第２のメッセージは、識別子情報を保持してよい。この場合、識別子情報とＳＭＦエンティティとの間のマッピング関係が、ＡＭＦエンティティにおいて確立される必要がある。代替的に、第２のメッセージは、第１のセッションの識別子および識別子情報の両方を保持してよい。この場合、ＡＭＦエンティティは、第１のセッションの識別子とＳＭＦエンティティとの間のマッピング関係、および識別子情報とＳＭＦエンティティとの間のマッピング関係のうちの少なくとも１つを確立する必要がある。
【０１４７】
任意選択的に、本発明の本実施形態における第１のメッセージは、さらに第２のインジケーション情報を保持し、第２のインジケーション情報は、第２のセッションのデータネットワークＤＮが第１のセッションのＤＮと同じであることを示すために用いられる。ユーザ機器は、第２のメッセージを受信した後に、第２のインジケーション情報に従って、第２のセッションのデータネットワークＤＮが第１のセッションのＤＮと同じであると決定してよい。
【０１４８】
任意選択的に、段階Ｓ１０３の後に、本発明の本実施形態により提供される方法は、さらに以下を含む。
【０１４９】
Ｓ１１２。ＳＭＦエンティティが、ユーザ機器と第２のＵＰＦエンティティとの間に確立された第１のセッションを解放する。
【０１５０】
次に、第２のシナリオがセッション・サービス継続性モード２である例を説明に用いる。
【０１５１】
第２のシナリオにおいて、ＳＭＦエンティティは、識別子情報を設定してもよく、または識別子情報を設定しなくてもよい。ＳＭＦエンティティが識別子情報を設定するか否かに応じて、第１の要求メッセージの内容が異なっていてよい。したがって、以下では別々の説明を提供する。
【０１５２】
ＳＭＦエンティティが識別子情報を設定すると仮定すると、図３に関連して、段階Ｓ１０１の前に、図６Ａおよび図６Ｂに示す本発明の実施形態により提供される方法は、さらに以下を含む。
【０１５３】
Ｓ１１３。ＳＭＦエンティティが識別子情報を設定する。識別子情報は、識別子情報に関連付けられたＳＭＦエンティティへ第２のメッセージを送信するようＡＭＦエンティティに命令するために用いられる。
【０１５４】
この場合、ＳＭＦエンティティによりＡＭＦエンティティへ送信される第１の要求メッセージは、識別子情報および第１のメッセージを保持することを理解されたい。第１のメッセージは、識別子情報およびセッション解放時間を保持し、第１のメッセージは、第２のセッションを確立するための要求をセッション解放時間内に送信するようＵＥに命令するために用いられる。
【０１５５】
具体的には、段階Ｓ１０３の前に、本発明の本実施形態により提供される方法は、さらに段階Ｓ１１１を含む。具体的に、段階Ｓ１１１の実装については、上述の実施形態の説明を参照されたい。本発明の本実施形態において、ここでは詳細を改めて説明しない。
【０１５６】
任意選択的に、第１のメッセージはさらに第３のインジケーション情報を保持し、第３のインジケーション情報は、識別子情報を第２のメッセージに付加するようＵＥに命令するために用いられる。したがって、段階Ｓ１０４の前に、本発明の本実施形態における方法は、さらに以下の段階を含んでよい。
【０１５７】
Ｓ１１４。第１のメッセージが第３のインジケーション情報を保持するとＵＥが決定する場合であて、第３のインジケーション情報は、識別子情報を第２のメッセージに付加するようＵＥに命令するために用いられる場合、ＵＥは、識別子情報を第２のメッセージに付加する。
【０１５８】
任意選択的に、ユーザ機器は、受信された第１のメッセージが識別子情報を保持すると決定した後に、識別子情報を第２のメッセージに付加する。
【０１５９】
任意選択的に、識別子情報は、ＳＭＦエンティティにより設定され、ＵＥによりＡＭＦエンティティを用いて受信される識別子情報である。
【０１６０】
具体的には、ユーザ機器は、能動的に識別子情報を第２のメッセージに付加してもよく、または、第１のメッセージに保持されるトリガメッセージ（例えば第３のインジケーション情報）に基づいて識別子情報を第２のメッセージに付加してもよい。
【０１６１】
任意選択的に、１つの態様において、段階Ｓ１１４は、以下のように実装されてよい。
【０１６２】
Ｓ１１４１ａ。第１のメッセージが第３のインジケーション情報を保持する場合であって、第３のインジケーション情報は、識別子情報を第２のメッセージに付加するようＵＥに命令するために用いられる場合、ＵＥは、第３のインジケーション情報に従って識別子情報を第２のメッセージに付加する。
【０１６３】
別の態様において、段階Ｓ１１４は、以下のように実装されてよい。
【０１６４】
Ｓ１１４１ｂ。ＵＥは、第１のセッションのセッション・サービス継続性モードを取得する。
【０１６５】
Ｓ１１４２ｂ。第１のセッションのセッション・サービス継続性モードが第２のモードであるとＵＥが決定する場合、ＵＥは、第１のセッションの識別子を識別子情報として決定し、識別子情報を第２のメッセージに付加する。
【０１６６】
別の態様において、段階Ｓ１１４は、以下のように実装されてよい。
【０１６７】
Ｓ１１４１ｃ。第１のメッセージが第４のインジケーション情報を保持し、第４のインジケーション情報が、第１のセッションの識別子を識別子情報として用いるようＵＥに命令するために用いられる場合、ユーザ機器は、第４のインジケーション情報に従って、第１のセッションの識別子を識別子情報として決定し、識別子情報を第２のメッセージに付加する。
【０１６８】
第２のモードは、セッション・サービス継続性モードＳＳＣ２であり、ＳＳＣ２は、第１のセッションが解放される前にＵＥがまず第２のセッションを確立することをネットワーク側が可能とすることを示し、第２のセッションのデータネットワークＤＮは、第１のセッションのＤＮと同じである。ＳＳＣ２においては、第１のセッションおよび第２のセッションが、ある期間にわたって共存する。
【０１６９】
任意選択的に、第２のシナリオにおいて、段階Ｓ１０６の実装については、上述の実施形態における段階Ｓ１０６１ａおよびＳ１０６２ａの実装を参照されたい。本発明の本実施形態において、ここでは詳細を改めて説明しない。
【０１７０】
ＳＭＦエンティティが識別子情報を設定しないと仮定すると、図３に関連して、図７Ａおよび図７Ｂに示すように、図７Ａと図６Ａとの間の差異は、段階Ｓ１０１における第１の要求メッセージは第１のメッセージのみを保持するという点にある。第１のメッセージは、セッション解放時間と、ＵＰＦエンティティを変更するセッション解放原因値とを保持する。第１のメッセージは、セッション解放時間内に第２のメッセージを送信するようユーザ機器に命令するために用いられ、段階Ｓ１１１は図７Ａにおいて省略されている。しかしながら、図６Ａにおける第１の要求メッセージは、第１のメッセージのみでなく識別子情報も保持し、第１の要求メッセージは、第１のメッセージをＵＥへ送信するようＡＭＦエンティティに命令するために用いられるのみでなく、識別子情報とＳＭＦエンティティとの間のマッピング関係を確立するようＡＭＦエンティティに命令するためにも用いられ、第１のメッセージは、識別子情報およびセッション解放時間を保持する。
【０１７１】
任意選択的に、段階Ｓ１０４の前に、本発明の本実施形態における方法は、さらに以下の段階を含んでよい。
【０１７２】
Ｓ１１５。ユーザ機器が、第１のメッセージに保持されるセッション解放原因値を受信した後に、第１のセッションの識別子を第２のメッセージに付加する。
【０１７３】
任意選択的に、第２のメッセージは、さらに第２のセッションの識別子を保持してよい。
【０１７４】
換言すると、ＵＥがＳ１１５を行った後に第２のメッセージに保持される識別子情報は、第１のセッションの識別子である。
【０１７５】
この場合、段階Ｓ１０６は、以下のように実装されてよい。
【０１７６】
Ｓ１０６１ｃ。ＡＭＦエンティティが、第１のセッションの識別子に基づいて、第１のセッションの識別子に関連付けられたＳＭＦエンティティへ第２のメッセージを送信する。
【０１７７】
ＳＭＦエンティティは、ＳＭＦエンティティとユーザ機器との間に確立された第１のセッションを解放しないので、ＡＭＦエンティティは、第１のセッションの識別子とＳＭＦエンティティとの間のマッピング関係を記憶することを理解されたい。したがって、ＡＭＦエンティティは、第１のセッションの識別子に基づいて、第１のセッションの識別子に関連付けられたＳＭＦエンティティへ第２のメッセージを送信してよい。
【０１７８】
図６Ａ、図６Ｂ、図７Ａ、および図７Ｂにおいて説明される実施形態の間の共通点は、段階Ｓ１０７の後に方法がさらに以下を含むという点にあることを理解されたい。
【０１７９】
Ｓ１１６。ＳＭＦエンティティが、セッション解放時間の後に、第２のＵＰＦエンティティとユーザ機器との間に確立された第１のセッションを解放する。
【０１８０】
任意選択的に、図６Ａ、図６Ｂ、図７Ａ、および図７Ｂにおいて説明される実施形態における第１のメッセージは、さらに第２のインジケーション情報を保持し、第２のインジケーション情報は、第２のセッションのＤＮが第１のセッションのＤＮと同じであることをＵＥに対して示すために用いられる。
【０１８１】
ＳＭＦエンティティがセッション・サービス継続性モード１またはセッション・サービス継続性モード２のどちらにおいて第２のセッションを再確立するかに関わらず、ＳＭＦエンティティが第２のメッセージを送信するようユーザ機器をトリガする前に、第１のセッションがユーザ機器とＳＭＦエンティティとの間に存在することを理解されたい。換言すると、第１のセッションは、ＳＭＦエンティティが第２のメッセージを送信するようユーザ機器をトリガする前に、第２のＵＰＦエンティティを用いてＳＭＦエンティティによりＳＭＦエンティティとユーザ機器との間に確立されるセッションである。
【０１８２】
任意選択的に、本発明の本実施形態における第２のメッセージはさらに、識別子情報、第１のセッションの識別子、または第１のセッションの識別子と同じ第２のセッションの識別子を保持してよい（この場合、セッションは、セッション・サービス継続性モード２においてＳＭＦエンティティによりＳＭＦエンティティとユーザ機器との間に確立されるセッションである）。したがって、ＳＭＦエンティティは、識別子情報を受信した後に、ＳＭＦエンティティとユーザ機器との間に第２のセッションを確立するために第１のＵＰＦエンティティを選択することを直接的に決定してよい。
【０１８３】
本発明の本実施形態における第１のＵＰＦエンティティは、ＳＭＦエンティティが第２のメッセージを送信するようＵＥをトリガする前に選択済みであることを理解されたい。
【０１８４】
本発明の上述の実施形態において、ＵＥは、ＳＭＦエンティティにより送信されＡＭＦエンティティを用いて受信されるインジケーション情報に基づいて、第１のセッションの識別子を識別子情報として決定し、識別子情報を第２のメッセージに付加してもよく（この場合はＳＳ１モードにおいて用いられる）、もしくは第２のセッションの識別子を識別子情報として第２のメッセージに付加してもよく（この場合はＳＳ２モードにおいて用いられる）、またはＳＭＦエンティティにより設定される識別子情報を識別子情報として第２のメッセージに付加してもよく（この場合、第１のメッセージはＳＭＦエンティティにより設定される識別子情報を保持するはずである）、別の態様において、ＵＥは、第１のセッションのセッション・サービス継続性モードに基づいて、第１のセッションの識別子を識別子情報として決定し、識別子情報を第２のメッセージに付加し（この場合はＳＳ１モードにおいて用いられる）、または第２のセッションの識別子を識別子情報として第２のメッセージに付加する（この場合はＳＳ２モードにおいて用いられる）ことを理解されたい。
【０１８５】
図８は、本発明の一実施形態に係るセッションを確立するための方法の具体的実装を示す。図８に示す方式は、上述の実施形態において説明されているセッション・サービス継続性モード２に適用可能である。具体的に言えば、ＳＭＦエンティティがまず第２のセッションを確立し、次いでＳＭＦエンティティが第１のセッションを解放する。
【０１８６】
ＳＭＦエンティティは、新たなセッションを確立するためにＵＰＦエンティティを再選択することを決定し、Ｓ８０１：識別子情報の設定を行う。
【０１８７】
Ｓ８０２。ＳＭＦエンティティが、第１の要求メッセージをＡＭＦエンティティへ送信する。第１の要求メッセージは、第１のメッセージおよび識別子情報を保持し、第１のメッセージは、セッション解放時間および識別子情報を保持し、第１のメッセージは、第２のセッションを確立することを要求するためのメッセージを送信するようユーザ機器に命令するために用いられる。
【０１８８】
具体的には、第１の要求メッセージは、識別子情報とＳＭＦエンティティの識別子との間のマッピング関係を確立し、第１のメッセージをユーザ機器へ送信するよう、ＡＭＦエンティティに命令するために用いられる。
【０１８９】
Ｓ８０３。ＡＭＦエンティティが、第１の要求メッセージに基づいて、識別子情報とＳＭＦエンティティの識別子との間のマッピング関係を確立する。
【０１９０】
Ｓ８０４。ＡＭＦエンティティが、第１のメッセージをユーザ機器へ送信する。
【０１９１】
実際のプロセスにおいては、段階Ｓ８０３およびＳ８０４の順序が変更されてよいことを理解されたい。具体的に言えば、ＡＭＦエンティティがまずＳ８０４を行い、次いでＳ８０３を行う、またはＡＭＦエンティティがＳ８０３およびＳ８０４を同時に行う。段階Ｓ８０３およびＳ８０４の順序は、本発明の本実施形態の解決手段に影響しない。
【０１９２】
Ｓ８０５。ユーザ機器が、識別子情報を保持する第２のメッセージをＡＭＦエンティティへ送信する。識別子情報は、識別子情報に関連付けられたＳＭＦエンティティへ第２のメッセージを送信するようＡＭＦエンティティに命令するために用いられ、第２のメッセージは、第１のＵＰＦとＳＭＦエンティティとの間のセッションを確立するようＳＭＦエンティティに命令するために用いられる。
【０１９３】
以下のことを理解されたい。
【０１９４】
Ｓ８０６。ＡＭＦエンティティが、第２のメッセージを受信する。第２のメッセージは、識別子情報を保持する。
【０１９５】
Ｓ８０７。ＡＭＦエンティティが、識別子情報に基づいて、識別子情報に関連付けられたＳＭＦエンティティへ第２のメッセージを送信する。
【０１９６】
Ｓ８０８。ＳＭＦエンティティが、第２のメッセージを受信した後に、第１のＵＰＦエンティティとユーザ機器との間に第２のセッションを確立する。
【０１９７】
Ｓ８０９。ＳＭＦエンティティが、セッション解放時間の後に、ユーザ機器と第２のＵＰＦエンティティとの間に確立された第１のセッションを解放する。
【０１９８】
図９は、本発明の一実施形態に係るセッションを確立するための別の方法の具体的実装を示す。図９と図８との間の共通点は、その両方が、上述の実施形態において説明されているセッション・サービス継続性モード２に適用可能であるという点にある。具体的に言えば、ＳＭＦエンティティがまず第２のセッションを確立し、次いでＳＭＦエンティティが第１のセッションを解放する。
【０１９９】
図９と図８との間の差異は、以下のとおりである。図９において、段階Ｓ８０１はＳ８０２の前で省略されており、段階Ｓ８０２における第１の要求メッセージは、第２のメッセージのみを保持するが、図９における第２のメッセージに保持される内容は、セッション解放時間およびセッション解放原因値であり、セッション解放原因値は、第２のセッションの識別子とは異なる識別子を第１のセッションに割り当てるようユーザ機器に命令するために用いられ、図９のＳ８０５における第１のメッセージは、少なくとも第１のセッションの識別子を保持し（さらに、第２のセッションの識別子および第１のセッションの識別子の両方を保持してもよく）、第１のセッションの識別子は、第１のセッションの識別子に関連付けられたＳＭＦエンティティへ第２のメッセージを送信するようＡＭＦエンティティに命令するために用いられる（セッション・サービス継続性モード２において、ＡＭＦエンティティは、ＳＭＦエンティティにより確立された各セッションとセッションを確立するＳＭＦエンティティとの間のマッピング関係を予め記憶し、すなわち、ＡＭＦエンティティは、予め設定されたマッピング関係表を予め記憶し、表は、少なくとも第１のセッションの識別子および第１のセッションの識別子に関連付けられたＳＭＦエンティティを記憶し、第１のセッションの識別子に関連付けられたＳＭＦエンティティは、第１のセッションを確立するＳＭＦエンティティであることを理解されたい）。この場合、第２のセッションの識別子が識別子情報である。
【０２００】
具体的には、図８におけるＳ８０７が、図９における段階Ｓ９０７と置き換えられてよい。
【０２０１】
Ｓ９０７。ＡＭＦエンティティが、第１のセッションの識別子に基づいて、予め設定されたマッピング関係表において、第２のセッションの識別子に関連付けられたＳＭＦエンティティを決定する。
【０２０２】
図１０Ａおよび図１０Ｂは、本発明の一実施形態に係るセッションを確立するための別の方法の具体的実装を示す。図１０Ａおよび図１０Ｂは、図１０Ａおよび図１０Ｂにおいて提供される方法が、上述の実施形態におけるセッション・サービス継続性モード１に適用可能であるという点において、図９および図８とは異なる。具体的に言えば、まず第１のセッションが解放され、次いで第２のセッションが確立される。
【０２０３】
Ｓ１１０１。ＳＭＦエンティティが、ＵＰＦエンティティを再選択することを決定し、第１の要求メッセージをＡＭＦエンティティへ送信する。第１の要求メッセージは、第１のメッセージおよび第１のセッション解放通知メッセージを保持し、第１のメッセージは、セッションを再確立する第１のセッション解放原因値を保持し、第１のメッセージは、第２のセッションおよび第１のセッションに同じ識別子を割り当てるようＵＥに命令するために用いられ、第１のセッション解放通知メッセージは、第１のセッションの識別子とＳＭＦエンティティの識別子との間のマッピング関係を確立するようＡＭＦエンティティに命令するために用いられる。
【０２０４】
第１の要求メッセージは、第１のセッション解放通知メッセージ（すなわち第１のメッセージ）をＵＥへ送信するようＡＭＦエンティティに命令するために用いられることを理解されたい。
【０２０５】
Ｓ１１０２。ＡＭＦエンティティが、第１のセッションの識別子とＳＭＦエンティティの識別子との間のマッピング関係を記憶する。
【０２０６】
Ｓ１１０３。ＡＭＦエンティティが、第１のメッセージをユーザ機器へ送信する。
【０２０７】
Ｓ１１０４。ＳＭＦエンティティが、ユーザ機器と第２のＵＰＦエンティティとの間に確立された第１のセッションを解放する。
【０２０８】
Ｓ１１０５。ユーザ機器が、第１のセッションおよび第２のセッションに同じ識別子を割り当てる。
【０２０９】
Ｓ１１０６。ユーザ機器が、第２のメッセージをＡＭＦエンティティへ送信する。第２のメッセージは、第１のセッションの識別子を保持する。第１のセッションの識別子は、第１のセッションの識別子に関連付けられたＳＭＦエンティティへ第２のメッセージを送信するようＡＭＦエンティティに命令するために用いられ、第２のメッセージは、ＳＭＦエンティティとユーザ機器との間に第２のセッションを確立するようＳＭＦエンティティに命令するために用いられる。
【０２１０】
換言すると、識別子情報は、第１のセッションの識別子である。
【０２１１】
Ｓ１１０７。ＡＭＦエンティティが、第１のセッションの識別子に基づいて、第１のセッションの識別子に関連付けられたＳＭＦエンティティを決定する。
【０２１２】
Ｓ１１０８。ＡＭＦエンティティが、第１のセッションの識別子により示されるＳＭＦエンティティへ第２のメッセージを送信する。
【０２１３】
Ｓ１１０９。ＳＭＦエンティティが、第２のメッセージに基づいて、ユーザ機器と第１のＵＰＦエンティティとの間に第２のセッションを確立する。
【０２１４】
本発明の本実施形態に係るセッションを確立するための方法においては、識別子情報が第２のメッセージに保持され、次いでＡＭＦエンティティが、識別子情報に基づいて、識別子情報により指定されるＳＭＦエンティティへ第２のメッセージを送信する。これは、ＳＭＦエンティティが第２のメッセージを送信するようユーザ機器をトリガする目的が、セッションを再確立するためであるからである。しかしながら、セッションを確立するためのシステムにおいて、ユーザ機器により送信される第２のメッセージは、ＡＭＦエンティティによってのみＳＭＦエンティティへ転送されることができ、ＡＭＦエンティティは、第２のメッセージを転送するときにＳＭＦエンティティを選択するプロセスを行う必要がある。したがって、本発明の本実施形態において、ＡＭＦエンティティが第２のメッセージを受信したときに再びＳＭＦエンティティを選択するプロセスを行う必要があるので処理効率が低いという課題を回避し、ＡＭＦエンティティにより選択されたＳＭＦエンティティが、第２のメッセージを送信するようユーザ機器をトリガするＳＭＦエンティティと一致しないという課題を回避するために、識別子情報が用いられてよい。さらに、本発明の本実施形態において、ＳＭＦエンティティが識別子情報を受信した後にＳＭＦエンティティが再びＵＰＦエンティティを再選択するプロセスを行わないことを可能とするために、識別子情報が用いられてよい。その理由は、通常、ＳＭＦエンティティが、第２のメッセージを送信するようＵＥをトリガする前に、現時点でＵＥとセッションを確立しているＵＰＦエンティティ（例えば第１のＵＰＦエンティティ）が既にユーザ要件を満たせないことを決定済みであり、ＵＥと第２のセッションを再確立するために適切なＵＰＦエンティティ（例えば第１のＵＰＦエンティティ）を選択済みであることに起因して、ＳＭＦエンティティが第２のメッセージを送信するようＵＥをトリガするからである。これにより、第２のセッションが確立された後、最終的にユーザプレーンをさらに最適化することができる。
【０２１５】
本出願により提供される解決手段を、上記では主にユーザ機器、ＡＭＦエンティティ、およびＳＭＦエンティティの間のやり取りの観点から説明している。上述の機能を実装するべく、ユーザ機器、ＡＭＦエンティティ、およびＳＭＦエンティティ等は、それらの機能を行うための対応するハードウェア構造および／またはソフトウェアモジュールを含むことを理解されたい。当業者であれば、本明細書に開示の実施形態において説明されている例に関連して、ユーザ機器、ＡＭＦエンティティ、ＳＭＦエンティティ、および方法の段階が、ハードウェアまたはハードウェアとコンピュータソフトウェアとの組み合わせによって実装されてよいことを認識するのは容易であろう。機能がハードウェアによって行われるか、またはコンピュータソフトウェアにより駆動されるハードウェアによって行われるかは、技術的解決手段の特定のアプリケーションおよび設計制約条件に依存する。当業者であれば、特定のアプリケーションごとに、説明されている機能を実装するために異なる方法を用い得るが、この実装は、本出願の範囲を越えるものとみなされるべきではない。
【０２１６】
本発明の実施形態において、上述の方法に基づいて、ユーザ機器、ＡＭＦエンティティ、およびＳＭＦエンティティについて機能モジュールが定義されてよい。例えば、各機能モジュールが各機能に対応して定義されてもよく、または２つ以上の機能が１つの処理モジュールに統合されてもよい。統合されたモジュールは、ハードウェアの形態で実装されてもよく、またはソフトウェア機能モジュールの形態で実装されてもよい。本発明の実施形態におけるモジュールの分割は一例に過ぎず、単に論理機能の分割であることに留意されたい。実際の実装においては、他の分割方式が利用可能であってもよい。
【０２１７】
各機能モジュールが各機能に対応して定義される場合、図１１ａは、上述の実施形態におけるＡＭＦエンティティの可能な概略構造図である。ＡＭＦエンティティ１０は、送信ユニット４０１および受信ユニット４０２を含む。受信ユニット４０２は、上述の実施形態における段階Ｓ１０２およびＳ８０６を行うことにおいてＡＭＦエンティティ１０をサポートするよう構成される。送信ユニット４０１は、上述の実施形態における段階Ｓ１０３、Ｓ８０４、Ｓ８０７、Ｓ１１０４、およびＳ１１０８を行うことにおいてＡＭＦエンティティ１０をサポートするよう構成される。本発明の本実施形態により提供されるＡＭＦエンティティ１０はさらに、確立ユニット４０３、記憶ユニット４０４、および決定ユニット４０５を含んでよい。確立ユニット４０３は、上述の実施形態における段階Ｓ１１１を行うことにおいてＡＭＦエンティティ１０をサポートするよう構成されることを理解されたい。記憶ユニット４０４は、上述の実施形態における段階Ｓ１０８およびＳ１１０２を行うことにおいてＡＭＦエンティティ１０をサポートするよう構成される。確立ユニット４０３は、上述の実施形態における段階Ｓ１１１およびＳ１１０２を行うことにおいてＡＭＦエンティティ１０をサポートするよう構成される。任意選択的に、ＡＭＦエンティティはさらに、上述の実施形態における段階Ｓ１０６１ａ、Ｓ１０６１ｂ、Ｓ１１０７、およびＳ９０７を行うことにおいてＵＥをサポートするよう構成される決定ユニット４０５を含む。上述の方法の実施形態における段階の全ての関連する内容が、対応する機能モジュールの機能の説明において引用されてよい。詳細はここでは改めて説明しない。
【０２１８】
具体的には、ハードウェア実装において、受信ユニット４０２は、ＡＭＦエンティティ１０の受信機であってよく、送信ユニット４０１は、ＡＭＦエンティティ１０の送信機であってよく、送信機および受信機は、図２ｂに示すように送受信機を形成するよう統合されてよい。確立ユニット４０３、記憶ユニット４０４、および決定ユニット４０５は、ＡＭＦエンティティ１０のプロセッサに統合されてよい。
【０２１９】
統合されたユニットが用いられる場合、図１１ｂは、上述の実施形態におけるＡＭＦエンティティ１０の論理構造の可能な概略図である。ＡＭＦエンティティ１０は、処理モジュール５１２および通信モジュール５１３を含む。処理モジュール５１２は、ＡＭＦエンティティ１０の動作を制御および管理するよう構成される。例えば、処理モジュール５１２は、段階Ｓ１０２、Ｓ８０６、Ｓ１０３、Ｓ１０６（Ｓ１０６２ａ、Ｓ１０６２ｂ、およびＳ１０６２ｃ）、Ｓ８０４、Ｓ８０７、Ｓ１１０４、Ｓ１１０８、Ｓ１０６１ａ、Ｓ１０６１ｂ、Ｓ１０６１ｃ、Ｓ８０４、Ｓ８０７、Ｓ１１０４、Ｓ１１０８、Ｓ１０８、Ｓ１１１、Ｓ８０３、Ｓ１１０２、Ｓ１０６１ａ、Ｓ１０６１ｂ、Ｓ９０７、およびＳ１１０７を行うよう構成され、および／または、本明細書において説明されている技術の他のプロセスにおいて用いられる。通信モジュール５１３は、ユーザ機器およびＳＭＦエンティティと通信することにおいてＡＭＦエンティティ１０をサポートするよう構成される。ＡＭＦエンティティ１０はさらに、ＡＭＦエンティティ１０のプログラムコードおよびデータを記憶するよう構成される記憶モジュール５１１を含んでよい。
【０２２０】
処理モジュール５１２は、プロセッサまたはコントローラであってよく、例えば、中央処理装置、汎用プロセッサ、デジタルシグナルプロセッサ、特定用途向け集積回路、フィールドプログラマブルゲートアレイもしくは別のプログラマブルロジックデバイス、トランジスタロジックデバイス、ハードウェアコンポーネント、またはそれらの任意の組み合わせであってよい。コントローラ／プロセッサは、本発明に開示の内容に関連して説明されている様々な例示的な論理ブロック、モジュール、および回路を実装または実行してよい。代替的に、プロセッサは、計算機能を実装するプロセッサの組み合わせ、例えば、１または複数のマイクロプロセッサの組み合わせ、またはデジタルシグナルプロセッサとマイクロプロセッサとの組み合わせであってよい。通信モジュール５１３は、送受信機、送受信機回路、または送受信機等であってよい。記憶モジュール５１１は、メモリであってよい。
【０２２１】
処理モジュール５１２がプロセッサであり、通信モジュール５１３が送受信機であり、記憶モジュール５１１がメモリである場合、本発明の本実施形態におけるＡＭＦエンティティは、図２ｂに示すデバイスであってよい。
【０２２２】
各機能モジュールが各機能に対応して定義される場合、図１２ａは、上述の実施形態におけるＳＭＦエンティティの可能な概略構造図である。ＳＭＦエンティティ２０は、送信ユニット６０１、受信ユニット６０２、および確立ユニット６０３を含む。受信ユニット６０２は、上述の実施形態における段階Ｓ１０７ａおよびＳ８０８を行うことにおいてＳＭＦエンティティ２０をサポートするよう構成される。確立ユニット６０３は、上述の実施形態における段階Ｓ１０７、Ｓ１１２、Ｓ１１６、Ｓ８０９、Ｓ１１０２、およびＳ１１０９を行うことにおいてＳＭＦエンティティ２０をサポートするよう構成される。本発明の本実施形態におけるＳＭＦエンティティはさらに、送信ユニット６０１および設定ユニット６０４を含むことを理解されたい。送信ユニット６０１は、上述の実施形態における段階Ｓ１０１、Ｓ８０２、およびＳ１１０１を行うことにおいてＳＭＦエンティティ２０をサポートするよう構成される。設定ユニット６０４は、上述の実施形態における段階Ｓ１１０、Ｓ１１３、およびＳ８０１を行うことにおいてＳＭＦエンティティ２０をサポートするよう構成される。上述の方法の実施形態における段階の全ての関連する内容が、対応する機能モジュールの機能の説明において引用されてよい。詳細はここでは改めて説明しない。
【０２２３】
具体的には、ハードウェア実装において、送信ユニット６０１は、ＳＭＦエンティティの送信機であってよく、受信ユニット６０２は、ＳＭＦエンティティの受信機であってよく、受信機および送信機は、図２ｃに示すようにＳＭＦエンティティ２０の送受信機を形成するよう統合されてよい。確立ユニット６０３および設定ユニット６０４は、ＳＭＦエンティティ２０のプロセッサに統合されてよい。
【０２２４】
統合されたユニットが用いられる場合、図１２ｂは、上述の実施形態におけるＳＭＦエンティティ２０の論理構造の可能な概略図である。ＳＭＦエンティティ２０は、処理モジュール７１２および通信モジュール７１３を含む。処理モジュール７１２は、ＳＭＦエンティティ２０の動作を制御および管理するよう構成される。例えば、処理モジュール７１２は、上述の実施形態における段階Ｓ１０７ａ、Ｓ８０８、Ｓ１０７、Ｓ１１２、Ｓ１１６、Ｓ８０９、Ｓ１１０２、Ｓ１１０９、Ｓ１０１、Ｓ８０２、Ｓ１１０１、Ｓ１１０、Ｓ１１３、およびＳ８０１を行うことにおいてＳＭＦエンティティ２０をサポートするよう構成され、および／または、本明細書において説明されている技術の別のプロセスにおいて用いられる。通信モジュール７１３は、ＡＭＦエンティティと通信することにおいてＳＭＦエンティティ２０をサポートするよう構成される。ＳＭＦエンティティ２０はさらに、ＳＭＦエンティティ２０のプログラムコードおよびデータを記憶するよう構成される記憶モジュール７１１を含んでよい。
【０２２５】
処理モジュール７１２は、プロセッサまたはコントローラであってよく、例えば、中央処理装置、汎用プロセッサ、デジタルシグナルプロセッサ、特定用途向け集積回路、フィールドプログラマブルゲートアレイもしくは別のプログラマブルロジックデバイス、トランジスタロジックデバイス、ハードウェアコンポーネント、またはそれらの任意の組み合わせであってよい。コントローラ／プロセッサは、本発明に開示の内容に関連して説明されている様々な例示的な論理ブロック、モジュール、および回路を実装または実行してよい。代替的に、プロセッサは、計算機能を実装するプロセッサの組み合わせ、例えば、１または複数のマイクロプロセッサの組み合わせ、またはデジタルシグナルプロセッサとマイクロプロセッサとの組み合わせであってよい。通信モジュール７１３は、送受信機、送受信機回路、または送受信機等であってよい。記憶モジュール７１１は、メモリであってよい。
【０２２６】
処理モジュール７１２がプロセッサであり、通信モジュール７１３が送受信機であり、記憶モジュール７１１がメモリである場合、本発明の本実施形態におけるＳＭＦエンティティは、図２ｃに示すデバイスであってよい。
【０２２７】
各機能モジュールが各機能に対応して定義される場合、図１３ａは、上述の実施形態におけるユーザ機器の可能な概略構造図である。ユーザ機器３０は、確立ユニット８０１、受信ユニット８０２、割り当てユニット８０３、および送信ユニット８０４を含む。確立ユニット８０１は、上述の実施形態におけるＳ１０１ａを行うようＵＥに命令するよう構成される。受信ユニット８０２は、上述の実施形態における段階Ｓ１０４、Ｓ１１０２、およびＳ１１０５を行うことにおいてユーザ機器３０をサポートするよう構成される。割り当てユニット８０３は、上述の実施形態における段階Ｓ１０９（Ｓ１０９１ａおよびＳ１０９２ｂ）およびＳ１１０５を行うことにおいてユーザ機器３０をサポートするよう構成される。送信ユニット８０４は、上述の実施形態における段階Ｓ１０４およびＳ１１０６を行うことにおいてユーザ機器３０をサポートするよう構成される。ユーザ機器３０はさらに、Ｓ１０９１ｂを行うようＵＥに命令するよう構成される取得ユニット８０５を含むことを理解されたい。上述の方法の実施形態における段階の全ての関連する内容が、対応する機能モジュールの機能の説明において引用されてよい。詳細はここでは改めて説明しない。
【０２２８】
各機能モジュールが各機能に対応して定義される場合、図１３ｂは、上述の実施形態におけるユーザ機器の可能な概略構造図である。ユーザ機器３０は、確立ユニット９０１、受信ユニット９０２、および送信ユニット９０３を含む。確立ユニット９０１は、上述の実施形態における段階Ｓ１０１ａを行うことにおいてＵＥをサポートするよう構成される。受信ユニット９０２は、上述の実施形態における段階Ｓ１０４を行うことにおいてユーザ機器３０をサポートするよう構成される。送信ユニット９０３は、上述の実施形態における段階Ｓ１０４および段階Ｓ８０５を行うことにおいてユーザ機器３０をサポートするよう構成される。ユーザ機器はさらに、決定ユニットおよび取得ユニットを含む。決定ユニットは、Ｓ１１４（Ｓ１１４１ａ、Ｓ１１４１ｂ、およびＳ１１４２ｂ）、およびＳ１１５を行うことにおいてユーザ機器をサポートするよう構成される。取得ユニットは、Ｓ１１４１ｂを行うようユーザ機器に命令するよう構成される。上述の方法の実施形態における段階の全ての関連する内容が、対応する機能モジュールの機能の説明において引用されてよい。詳細はここでは改めて説明しない。
【０２２９】
具体的には、ハードウェア実装において、送信ユニット９０３および送信ユニット８０４は、ユーザ機器３０の送信機であってよく、受信ユニット９０２および割り当てユニット８０３は、ユーザ機器３０の受信機であってよく、受信機および送信機は、図２ｄに示すようにユーザ機器３０の送受信機を形成するよう統合されてよい。割り当てユニット８０３、確立ユニット９０１、決定ユニット、および割り当てユニット８０２は、ユーザ機器３０のプロセッサに統合されてよい。
【０２３０】
統合されたユニットが用いられる場合、図１３ｃは、上述の実施形態におけるユーザ機器３０の論理構造の可能な概略図である。ユーザ機器３０は、処理モジュール１０１２および通信モジュール１０１３を含む。処理モジュール１０１２は、ユーザ機器３０の動作を制御および管理するよう構成される。例えば、処理モジュール１０１２は、段階Ｓ１０１ａ、Ｓ１０４、Ｓ１１０２、Ｓ１１０５、Ｓ１０９（Ｓ１０９１ａおよびＳ１０９２ｂ）Ｓ１１０５、Ｓ１０４、Ｓ１１０６、およびＳ１０９１ｂまたはＳ１０１ａ、Ｓ１０４、Ｓ１０４、Ｓ８０５、Ｓ１１４（Ｓ１１４１ａ、Ｓ１１４１ｂ、およびＳ１１４２ｂ）、およびＳ１１５を行うことにおいてユーザ機器３０をサポートするよう構成され、および／または、本明細書において説明されている技術における別のプロセスにおいて用いられる。通信モジュール１０１３は、ＡＭＦエンティティと通信することにおいてユーザ機器３０をサポートするよう構成される。ユーザ機器３０はさらに、ユーザ機器３０のプログラムコードおよびデータを記憶するよう構成される記憶モジュール１０１１を含んでよい。
【０２３１】
処理モジュール１０１２は、プロセッサまたはコントローラであってよく、例えば、中央処理装置、汎用プロセッサ、デジタルシグナルプロセッサ、特定用途向け集積回路、フィールドプログラマブルゲートアレイもしくは別のプログラマブルロジックデバイス、トランジスタロジックデバイス、ハードウェアコンポーネント、またはそれらの任意の組み合わせであってよい。コントローラ／プロセッサは、本発明に開示の内容に関連して説明されている様々な例示的な論理ブロック、モジュール、および回路を実装または実行してよい。代替的に、プロセッサは、計算機能を実装するプロセッサの組み合わせ、例えば、１または複数のマイクロプロセッサの組み合わせ、またはデジタルシグナルプロセッサとマイクロプロセッサとの組み合わせであってよい。通信モジュール１０１３は、送受信機、送受信機回路、または送受信機等であってよい。記憶モジュール１０１１は、メモリであってよい。
【０２３２】
処理モジュール１０１２がプロセッサであり、通信モジュール１０１３が送受信機であり、記憶モジュール１０１１がメモリである場合、本発明の本実施形態におけるＳＭＦエンティティは、図２ｄに示すデバイスであってよい。
【０２３３】
１つの態様において、本発明の一実施形態は、コンピュータ可読記憶媒体を提供する。コンピュータ可読記憶媒体は、命令を記憶し、コンピュータ可読記憶媒体がＳＭＦエンティティ上で動作するとき、ＳＭＦエンティティは、上述の実施形態における段階Ｓ１０７ａ、Ｓ８０８、Ｓ１０７、Ｓ１１２、Ｓ１１６、Ｓ８０９、Ｓ１１０２、Ｓ１１０９、Ｓ１０１、Ｓ８０２、Ｓ１１０１、Ｓ１１０、Ｓ１１３、およびＳ８０１を行うことが可能となる。
【０２３４】
別の態様において、本発明の一実施形態は、コンピュータ可読記憶媒体を提供する。コンピュータ可読記憶媒体は、命令を記憶し、コンピュータ可読記憶媒体がＡＭＦエンティティ上で動作するとき、ＡＭＦエンティティは、上述の実施形態における段階Ｓ１０２、Ｓ８０６、Ｓ１０３、Ｓ１０６、（Ｓ１０６２ａ、Ｓ１０６２ｂおよびＳ１０６２ｃ）、Ｓ８０４、Ｓ８０７、Ｓ１１０４、Ｓ１１０８、Ｓ１０６１ａ、Ｓ１０６１ｂ、Ｓ１０６１ｃ、Ｓ８０４、Ｓ８０７、Ｓ１１０４、Ｓ１１０８、Ｓ１０８、Ｓ１１１、Ｓ８０３、Ｓ１１０３、Ｓ１０６１ａ、Ｓ１０６１ｂ、Ｓ９０７、およびＳ１１０７を行うことが可能となる。
【０２３５】
別の態様において、本発明の一実施形態は、コンピュータ可読記憶媒体を提供する。コンピュータ可読記憶媒体は、命令を記憶し、コンピュータ可読記憶媒体がユーザ機器上で動作するとき、ユーザ機器は、上述の実施形態における段階Ｓ１０１ａ、Ｓ１０４、Ｓ１１０２、Ｓ１１０５、Ｓ１０９（Ｓ１０９１ａおよびＳ１０９２ｂ）、Ｓ１１０５、Ｓ１０４、Ｓ１１０６、Ｓ１０９１ｂまたはＳ１０１ａ、Ｓ１０４、Ｓ１０４、Ｓ８０５、Ｓ１１４（Ｓ１１４１ａ、Ｓ１１４１ｂ、およびＳ１１４２ｂ）、およびＳ１１５を行うことが可能となる。
【０２３６】
上述の実施形態の全てまたは一部が、ソフトウェア、ハードウェア、ファームウェア、またはそれらの任意の組み合わせによって実装されてよい。実施形態を実装するためにソフトウェアプログラムが用いられる場合、実施形態は、完全にまたは部分的にコンピュータプログラム製品の形態で実装されてよい。コンピュータプログラム製品は、１または複数のコンピュータ命令を含む。コンピュータプログラム命令がコンピュータ上でロードおよび実行される場合、本発明の実施形態に係る手順または機能が全てまたは部分的に生成される。コンピュータは、汎用コンピュータ、専用コンピュータ、コンピュータネットワーク、または別のプログラマブル装置であってよい。コンピュータ命令は、コンピュータ可読記憶媒体に記憶されてよく、またはコンピュータ可読記憶媒体から別のコンピュータ可読記憶媒体へ伝送されてよい。例えば、コンピュータ命令は、有線（例えば、同軸ケーブル、光ファイバ、またはデジタル加入者線ＤＳＬ）または無線（例えば、赤外線、電波、またはマイクロ波等）の方式で、ウェブサイト、コンピュータ、サーバ、またはデータセンタから別のウェブサイト、コンピュータ、サーバ、またはデータセンタへ伝送されてよい。コンピュータ可読記憶媒体は、コンピュータによってアクセス可能な任意の使用可能な媒体、または、サーバまたはデータセンタなどの１または複数の使用可能な媒体を統合するデータ記憶デバイスであってよい。使用可能な媒体は、磁気媒体（例えばフロッピーディスク、ハードディスク、または磁気テープ）、光学媒体（例えばＤＶＤ）、または半導体媒体（例えばソリッドステートディスク（Ｓｏｌｉｄ  Ｓｔａｔｅ  Ｄｉｓｋ（ＳＳＤ））等であってよい。
【０２３７】
実装についての上述の説明により、当業者は、上述の機能モジュールの分割が、説明を簡便かつ簡潔にする目的で、例示のための一例として採用されていることを理解することが可能である。実際のアプリケーションにおいては、上述の機能は、異なるモジュールに割り当てられ、要件に従って実装され得る、すなわち、装置の内部構造が、上記で説明されている機能の全てまたは一部を実装するために異なる機能モジュールに分割される。上述のシステム、装置、およびユニットの詳細な動作プロセスについては、上述の方法の実施形態における対応するプロセスが参照されてよく、詳細はここでは改めて説明しない。
【０２３８】
本出願において提供されるいくつかの実施形態において、開示のシステム、装置、および方法は他の方式で実装されてもよいことを理解されたい。例えば、説明されている装置の実施形態は一例に過ぎない。例えば、モジュールまたはユニットの分割は、論理機能の分割に過ぎず、実際の実装においては他の分割であってもよい。例えば、複数のユニットまたはコンポーネントが別のシステムに組み合わされまたは統合されてもよく、あるいはいくつかの特徴が無視されてもよい、または実行されなくてもよい。加えて、提示または議論されている相互結合または直接的結合または通信接続は、いくつかのインタフェースを用いて実装されてよい。装置間またはユニット間の間接的結合または通信接続は、電子的、機械的、または他の形態で実装されてよい。
【０２３９】
別個の部分として説明されるユニットは、物理的に別個であってもなくてもよく、ユニットとして提示される部分は、物理的ユニットであってもなくてもよく、１箇所に位置してもよく、または複数のネットワークユニット上に分散されてもよい。それらユニットの一部または全てが、実施形態の解決手段の目的を実現するために実際の要件に基づいて選択されてよい。
【０２４０】
加えて、本出願の実施形態における機能ユニットが１つの処理ユニットに統合されてもよく、またはユニットの各々が物理的に単独で存在してもよく、または２つ以上のユニットが１つのユニットに統合される。統合されたユニットは、ハードウェアの形態で実装されてもよく、またはソフトウェア機能ユニットの形態で実装されてもよい。
【０２４１】
統合されたユニットがソフトウェア機能ユニットの形態で実装され、独立製品として販売または使用される場合、統合されたユニットはコンピュータ可読記憶媒体に記憶されてよい。そのような理解に基づいて、本出願の技術的解決手段は本質的に、または従来技術に対して貢献する部分、または技術的解決手段の全てまたは一部は、ソフトウェア製品の形態で実装されてよい。ソフトウェア製品は、記憶媒体に記憶され、本出願の実施形態において説明されている方法の段階の全てまたは一部を行うようコンピュータデバイス（これはパーソナルコンピュータ、サーバ、またはネットワークデバイス等であってよい）に命令するためのいくつかの命令を含む。上述の記憶媒体は、フラッシュメモリ、リムーバブルハードディスク、リードオンリメモリ、ランダムアクセスメモリ、磁気ディスク、または光ディスクなどの、プログラムコードを記憶可能な任意の媒体を含む。
【０２４２】
上述の説明は、本出願の具体的実装例に過ぎず、本出願の保護範囲を限定することを意図するものではない。本出願に開示の技術的範囲内におけるあらゆる変形または置換が、本出願の保護範囲に含まれるものとする。したがって、本出願の保護範囲は、特許請求の範囲の保護範囲に従うものとする。
［項目１］
セッションを確立するための方法であって、
ユーザ機器ＵＥが、セッション管理機能ＳＭＦエンティティを用いて第１のセッションを確立する段階と、
上記ＵＥが、モビリティ管理機能ＡＭＦエンティティにより送信された第１のメッセージを受信する段階であって、上記第１のメッセージは、第２のセッションを確立するための要求を送信するよう上記ＵＥに命令するために用いられる、段階と、
上記ＵＥが、上記第１のセッションの識別子と同じ識別子を上記第２のセッションに割り当てる段階と、
上記ＵＥが、第２のメッセージを上記ＡＭＦエンティティへ送信する段階であって、上記第２のメッセージは、上記第２のセッションを確立することを要求するために上記ＵＥにより用いられ、上記第２のメッセージは、上記第２のセッションの上記識別子を保持し、上記第２のセッションの上記識別子は、上記第２のメッセージを上記ＳＭＦエンティティへ送信するために上記ＡＭＦエンティティにより用いられる、段階と
を備える方法。
［項目２］
上記第１のメッセージは、第１のインジケーション情報を保持し、上記第１のインジケーション情報は、上記第１のセッションの上記識別子と同じ上記識別子を上記第２のセッションに割り当てるよう上記ＵＥに命令するために用いられ、上記ＵＥが、上記第１のセッションの識別子と同じ識別子を上記第２のセッションに割り当てる上記段階は、
上記ＵＥが、上記第１のインジケーション情報に従って、上記第１のセッションの上記識別子と同じ上記識別子を上記第２のセッションに割り当てる段階
を含む、
項目１に記載の方法。
［項目３］
上記ＵＥが、上記第１のセッションの識別子と同じ識別子を上記第２のセッションに割り当てる上記段階は、
上記ＵＥが、上記第１のセッションのセッション・サービス継続性モードを取得する段階と、
上記ＵＥが、上記第１のセッションの上記セッション・サービス継続性モードが第１のモードであると決定し、上記第１のセッションの上記識別子と同じ上記識別子を上記第２のセッションに割り当てる段階と
を含む、
項目１または２に記載の方法。
［項目４］
上記第１のメッセージは、識別子情報を保持し、上記識別子情報は、上記第２のメッセージを上記ＳＭＦエンティティへ送信するために上記ＡＭＦエンティティにより用いられ、
上記第２のメッセージは、上記識別子情報を保持する、
項目１から３のいずれか一項に記載の方法。
［項目５］
上記第１のメッセージは、第２のインジケーション情報を保持し、上記第２のインジケーション情報は、上記第２のセッションのデータネットワークＤＮが上記第１のセッションのＤＮと同じであることを示すために用いられる、
項目１から４のいずれか一項に記載の方法。
［項目６］
セッションを確立するための方法であって、
ユーザ機器ＵＥが、セッション管理機能ＳＭＦエンティティを用いて第１のセッションを確立する段階と、
上記ＵＥが、モビリティ管理機能ＡＭＦエンティティにより送信された第１のメッセージを受信する段階であって、上記第１のメッセージは、第２のセッションを確立するための要求を送信するよう上記ＵＥに命令するために用いられる、段階と、
上記ＵＥが、第２のメッセージを上記ＡＭＦエンティティへ送信する段階であって、上記第２のメッセージは、上記第２のセッションを確立することを要求するために用いられ、上記第１のメッセージは、識別子情報を保持し、上記識別子情報は、上記第２のメッセージを上記ＳＭＦエンティティへ送信するよう上記ＡＭＦエンティティに命令するために用いられる、段階と
を備える方法。
［項目７］
上記第１のメッセージは、第３のインジケーション情報を保持し、上記第３のインジケーション情報は、上記識別子情報を上記第２のメッセージに付加するよう上記ＵＥに命令するために用いられる、
項目６に記載の方法。
［項目８］
上記ＵＥは、上記第１のセッションのセッション・サービス継続性モードを取得し、上記ＵＥは、上記第１のセッションの上記セッション・サービス継続性モードが第２のモードであると決定し、上記ＵＥは、上記第１のセッションの識別子を上記識別子情報として決定する、
項目６に記載の方法。
［項目９］
上記第１のメッセージは、第４のインジケーション情報を保持し、上記第４のインジケーション情報は、上記第１のセッションの識別子を上記識別子情報として用いるよう上記ＵＥに命令するために用いられ、上記ユーザ機器は、上記第４のインジケーション情報に従って、上記第１のセッションの上記識別子を上記識別子情報として決定する、
項目６に記載の方法。
［項目１０］
上記ＵＥは、上記ＡＭＦエンティティを用いて、上記ＳＭＦエンティティにより設定される上記識別子情報を受信する、
項目６に記載の方法。
［項目１１］
上記第１のメッセージは、第２のインジケーション情報を保持し、上記第２のインジケーション情報は、上記第１のセッションと同じデータネットワークＤＮに対して上記第２のセッションを確立するよう上記ＵＥに命令するために用いられる、
項目６から１０のいずれか一項に記載の方法。
［項目１２］
セッションを確立するための方法であって、
モビリティ管理機能ＡＭＦエンティティが、第１のメッセージをユーザ機器ＵＥへ送信する段階であって、上記第１のメッセージは、第２のセッションを確立するための要求を送信するよう上記ＵＥに命令するために用いられる、段階と、
上記ＡＭＦが、上記ＵＥにより送信された第２のメッセージを受信する段階であって、上記第２のメッセージは、識別子情報を保持し、上記識別子情報は、上記識別子情報に関連付けられたセッション管理機能ＳＭＦエンティティへ上記第２のメッセージを送信するよう上記ＡＭＦエンティティに命令するために用いられ、上記第２のメッセージは、上記第２のセッションを確立することを要求するために上記ＵＥにより用いられる、段階と、
上記ＡＭＦエンティティが、上記識別子情報に基づいて、上記第２のメッセージを上記ＳＭＦエンティティへ送信する段階と
を備える方法。
［項目１３］
上記第１のメッセージは、第３のインジケーション情報を保持し、上記第３のインジケーション情報は、上記識別子情報を上記第２のメッセージに付加するよう上記ＵＥに命令するために用いられる、
項目１２に記載の方法。
［項目１４］
上記識別子情報は、上記ＳＭＦエンティティにより設定され、モビリティ管理機能ＡＭＦエンティティが第１のメッセージをユーザ機器ＵＥへ送信する上記段階の前に、上記方法はさらに、
上記ＡＭＦエンティティが、上記ＳＭＦエンティティにより送信された第１の要求メッセージを受信する段階を備え、上記第１の要求メッセージは、上記識別子情報と上記ＳＭＦエンティティの識別子との間のマッピング関係を確立するよう上記ＡＭＦエンティティに命令するために用いられる、
項目１２に記載の方法。
［項目１５］
モビリティ管理機能ＡＭＦエンティティが第１のメッセージをユーザ機器ＵＥへ送信する上記段階の前に、上記方法はさらに、
上記ＡＭＦエンティティが、上記ＳＭＦエンティティにより送信された第１の要求メッセージを受信する段階であって、上記第１の要求メッセージは、上記第１のセッションの識別子と上記ＳＭＦエンティティとの間のマッピング関係を記憶するよう上記ＡＭＦエンティティに命令するために用いられ、上記第１のセッションは、上記ＳＭＦエンティティが上記第１の要求メッセージを送信する前に上記ＳＭＦエンティティと上記ＵＥとの間に確立されるセッションである、段階と、
上記ＡＭＦエンティティが、上記第１の要求メッセージに基づいて、上記第１のセッションの上記識別子と上記ＳＭＦエンティティとの間の上記マッピング関係を記憶する段階と
を備える、
項目１２に記載の方法。
［項目１６］
上記第１のメッセージはさらに、第１のインジケーション情報を保持し、上記第１のインジケーション情報は、上記第１のセッションの上記識別子と同じ識別子を上記第２のセッションに割り当てるよう上記ＵＥに命令するために用いられ、上記識別子情報は、上記第２のセッションの上記識別子である、
項目１５に記載の方法。
［項目１７］
上記第１のメッセージは、第４のインジケーション情報を保持し、上記第４のインジケーション情報は、上記第１のセッションの識別子を上記識別子情報として用いるよう上記ＵＥに命令するために用いられる、
項目１２に記載の方法。
［項目１８］
セッションを確立するための方法であって、
セッション管理機能ＳＭＦエンティティが、第１の要求メッセージをモビリティ管理機能ＡＭＦエンティティへ送信する段階であって、上記第１の要求メッセージは、第１のメッセージをユーザ機器ＵＥへ送信するよう上記ＡＭＦエンティティに命令するために用いられ、上記第１のメッセージは、第２のセッションを確立するための第２のメッセージを送信するよう上記ＵＥに命令するために用いられる、段階と、
上記ＳＭＦエンティティが、上記ＡＭＦエンティティにより送信された上記第２のメッセージを受信する段階であって、上記第２のメッセージは、上記第２のセッションを確立するよう命令するために用いられる、段階と、
上記ＳＭＦエンティティが、上記第２のメッセージに基づいて、上記ＳＭＦエンティティと上記ユーザ機器ＵＥとの間に上記第２のセッションを確立する段階と
を備える方法。
［項目１９］
上記第１のメッセージは、第３のインジケーション情報を保持し、上記第３のインジケーション情報は、識別子情報を上記第２のメッセージに付加するよう上記ＵＥに命令するために用いられる、
項目１８に記載の方法。
［項目２０］
セッション管理機能ＳＭＦエンティティが第１の要求メッセージを上記ＡＭＦエンティティへ送信する上記段階の前に、上記方法はさらに、
上記ＳＭＦエンティティが、識別子情報を設定する段階を備え、上記識別子情報は、上記第２のメッセージを上記ＳＭＦエンティティへ送信するよう上記ＡＭＦエンティティに命令するために用いられ、
上記第１の要求メッセージはさらに、上記識別子情報と上記ＳＭＦエンティティとの間のマッピング関係を確立するよう上記ＡＭＦエンティティに命令するために用いられる、
項目１８に記載の方法。
［項目２１］
上記第１の要求メッセージはさらに、上記第１のセッションの識別子と上記ＳＭＦエンティティとの間の関係を確立するよう上記ＡＭＦエンティティに命令するために用いられ、上記第２のメッセージはさらに、第１のインジケーション情報を保持し、上記第１のインジケーション情報は、上記第１のセッションおよび上記第２のセッションに同じセッション識別子を割り当てるよう上記ＵＥに命令するために用いられ、上記識別子情報は、上記第２のセッションの識別子であり、上記第１のセッションは、上記ＳＭＦエンティティが上記第１の要求メッセージを送信する前に上記ＳＭＦエンティティと上記ＵＥとの間に確立されるセッションである、
項目１８に記載の方法。
［項目２２］
上記第１のメッセージは、第４のインジケーション情報を保持し、上記第４のインジケーション情報は、上記第１のセッションの識別子を上記識別子情報として用いるよう上記ＵＥに命令するために用いられ、上記識別子情報は、上記第１のセッションの上記識別子である、
項目１８に記載の方法。
［項目２３］
ユーザ機器であって、
セッション管理機能ＳＭＦエンティティを用いて第１のセッションを確立するよう構成される確立ユニットと、
モビリティ管理機能ＡＭＦエンティティにより送信された第１のメッセージを受信するよう構成される受信ユニットであって、上記第１のメッセージは、第２のセッションを確立するための要求を送信するよう上記ユーザ機器ＵＥに命令するために用いられる、受信ユニットと、
上記第１のセッションの識別子と同じ識別子を上記第２のセッションに割り当てるよう構成される割り当てユニットと、
第２のメッセージを上記ＡＭＦエンティティへ送信するよう構成される送信ユニットであって、上記第２のメッセージは、上記第２のセッションを確立することを要求するために上記ＵＥにより用いられ、上記第２のメッセージは、上記第２のセッションの上記識別子を保持し、上記第２のセッションの上記識別子は、上記第２のメッセージを上記ＳＭＦエンティティへ送信するために上記ＡＭＦエンティティにより用いられる、送信ユニットと
を備えるユーザ機器。
［項目２４］
上記第１のメッセージは、第１のインジケーション情報を保持し、上記第１のインジケーション情報は、上記第１のセッションの上記識別子と同じ上記識別子を上記第２のセッションに割り当てるよう上記ＵＥに命令するために用いられ、上記割り当てユニットは具体的には、上記第１のインジケーション情報に従って、上記第１のセッションの上記識別子と同じ上記識別子を上記第２のセッションに割り当てるよう構成される、
項目２３に記載のユーザ機器。
［項目２５］
上記ユーザ機器はさらに、
上記第１のセッションのセッション・サービス継続性モードを取得するよう構成される取得ユニットを備え、
上記割り当てユニットは具体的には、上記第１のセッションの上記セッション・サービス継続性モードが第１のモードであると決定し、上記第１のセッションの上記識別子と同じ上記識別子を上記第２のセッションに割り当てるよう構成される、
項目２３または２４に記載のユーザ機器。
［項目２６］
ユーザ機器であって、
セッション管理機能ＳＭＦエンティティを用いて第１のセッションを確立するよう構成される確立ユニットと、
モビリティ管理機能ＡＭＦエンティティにより送信された第１のメッセージを受信するよう構成される受信ユニットであって、上記第１のメッセージは、第２のセッションを確立するための要求を送信するよう上記ユーザ機器ＵＥに命令するために用いられる、受信ユニットと、
第２のメッセージを上記ＡＭＦエンティティへ送信するよう構成される送信ユニットであって、上記第２のメッセージは、上記第２のセッションを確立することを要求するために用いられ、上記第１のメッセージは、識別子情報を保持し、上記識別子情報は、上記識別子情報に関連付けられた上記ＳＭＦエンティティへ上記第２のメッセージを送信するよう上記ＡＭＦエンティティに命令するために用いられる、送信ユニットと
を備えるユーザ機器。
［項目２７］
上記ユーザ機器はさらに、
上記第１のセッションのセッション・サービス継続性モードを取得するよう構成される取得ユニットと、
上記第１のセッションの上記セッション・サービス継続性モードが第２のモードであると決定し、上記第１のセッションの識別子を上記識別子情報として決定するよう構成される上記決定ユニットと
を備える、
項目２６に記載のユーザ機器。
［項目２８］
上記ユーザ機器はさらに、
上記第１のメッセージが第４のインジケーション情報を保持すると決定し、上記第１のセッションの識別子を上記識別子情報として決定し、上記識別子情報を上記第２のメッセージに付加するよう構成される決定ユニットを備え、上記第４のインジケーション情報は、上記第１のセッションの上記識別子を上記識別子情報として用いるよう上記ＵＥに命令するために用いられる、
項目２６に記載のユーザ機器。
［項目２９］
上記受信ユニットはさらに、上記ＡＭＦエンティティを用いて、上記ＳＭＦエンティティにより設定される上記識別子情報を受信するよう構成される、
項目２６に記載のユーザ機器。
［項目３０］
上記第１のメッセージは、第２のインジケーション情報を保持し、上記第２のインジケーション情報は、上記第１のセッションと同じデータネットワークＤＮに対して上記第２のセッションを確立するよう上記ＵＥに命令するために用いられる、
項目２６から２９のいずれか一項に記載のユーザ機器。
［項目３１］
モビリティ管理機能ＡＭＦエンティティであって、
第１のメッセージをユーザ機器ＵＥへ送信するよう構成される送信ユニットであって、上記第１のメッセージは、第２のセッションを確立するための要求を送信するよう上記ＵＥに命令するために用いられる、送信ユニットと、
上記ユーザ機器ＵＥにより送信された第２のメッセージを受信するよう構成される受信ユニットであって、上記第２のメッセージは、識別子情報を保持し、上記識別子情報は、上記識別子情報に関連付けられたセッション管理機能ＳＭＦエンティティへ上記第２のメッセージを送信するよう上記ＡＭＦエンティティに命令するために用いられ、上記第２のメッセージは、上記ＵＥが上記第２のセッションを確立することを要求することを示すために用いられる、受信ユニットと
を備え、
上記送信ユニットは、上記識別子情報に基づいて、上記第２のメッセージを上記ＳＭＦエンティティへ送信するよう構成される、
ＡＭＦエンティティ。
［項目３２］
上記第１のメッセージは、第３のインジケーション情報を保持し、上記第３のインジケーション情報は、上記識別子情報を上記第２のメッセージに付加するよう上記ＵＥに命令するために用いられる、
項目３１に記載のＡＭＦエンティティ。
［項目３３］
上記受信ユニットはさらに、上記ＳＭＦエンティティにより送信された第１の要求メッセージを受信するよう構成され、上記第１の要求メッセージは、上記識別子情報と上記ＳＭＦエンティティとの間のマッピング関係を確立するよう上記ＡＭＦエンティティに命令するために用いられ、
上記ＡＭＦエンティティはさらに、上記第１の要求メッセージに基づいて、上記識別子情報と上記ＳＭＦエンティティの識別子との間のマッピング関係を確立するよう構成される確立ユニットを備え、
上記送信ユニットは具体的には、上記識別子情報に対応する上記ＳＭＦエンティティへ上記第２のメッセージを送信するよう構成される、
項目３１に記載のＡＭＦエンティティ。
［項目３４］
上記受信ユニットはさらに、上記ＳＭＦエンティティにより送信された第１の要求メッセージを受信するよう構成され、上記第１の要求メッセージは、上記第１のセッションの識別子と上記ＳＭＦエンティティとの間のマッピング関係を記憶するよう上記ＡＭＦエンティティに命令するために用いられ、上記第１のセッションは、上記ＳＭＦエンティティが上記第１の要求メッセージを送信する前に上記ＳＭＦエンティティと上記ＵＥとの間に確立されるセッションであり、
上記ＡＭＦエンティティはさらに、上記第１の要求メッセージに基づいて、上記第１のセッションの上記識別子と上記ＳＭＦエンティティとの間の上記マッピング関係を記憶するよう構成される記憶ユニットを備える、
項目３１に記載のＡＭＦエンティティ。
［項目３５］
セッション管理機能ＳＭＦエンティティであって、
第１の要求メッセージをモビリティ管理機能ＡＭＦエンティティへ送信するよう構成される送信ユニットであって、上記第１の要求メッセージは、第１のメッセージをユーザ機器ＵＥへ送信するよう上記ＡＭＦエンティティに命令するために用いられ、上記第１のメッセージは、第２のセッションを確立するための第２のメッセージを送信するよう上記ＵＥに命令するために用いられる、送信ユニットと、
上記ＡＭＦエンティティにより送信された上記第２のメッセージを受信するよう構成される受信ユニットであって、上記第２のメッセージは、上記ＵＥが上記第２のセッションを確立することを要求することを示すために用いられる、受信ユニットと、
上記第２のメッセージに基づいて、上記ＳＭＦエンティティと上記ユーザ機器ＵＥとの間に上記第２のセッションを確立するよう構成される確立ユニットと
を備えるＳＭＦエンティティ。
［項目３６］
上記第１のメッセージは、第３のインジケーション情報を保持し、上記第３のインジケーション情報は、識別子情報を上記第２のメッセージに付加するよう上記ＵＥに命令するために用いられる、
項目３５に記載のＳＭＦエンティティ。
［項目３７］
上記ＳＭＦエンティティはさらに、
識別子情報を設定するよう構成される設定ユニットを備え、上記識別子情報は、上記第２のメッセージを上記ＳＭＦエンティティへ送信するよう上記ＡＭＦエンティティに命令するために用いられ、上記第１の要求メッセージはさらに、上記識別子情報と上記ＳＭＦエンティティとの間のマッピング関係を確立するよう上記ＡＭＦエンティティに命令するために用いられる、
項目３５に記載のＳＭＦエンティティ。
［項目３８］
メモリと、プロセッサと、バスと、送受信機とを備えるモビリティ管理機能ＡＭＦエンティティであって、上記メモリは、コードおよびデータを記憶し、上記プロセッサは、上記バスにより上記メモリに接続され、上記プロセッサが上記メモリにおける上記コードを動作させることで、上記ＡＭＦエンティティが項目１２から１７のいずれか一項に記載のセッションを確立するための方法を行う、
ＡＭＦエンティティ。
［項目３９］
メモリと、プロセッサと、バスと、送受信機とを備えるセッション管理機能ＳＭＦエンティティであって、上記メモリは、コードおよびデータを記憶し、上記プロセッサは、上記バスにより上記メモリに接続され、上記プロセッサが上記メモリにおける上記コードを動作させることで、上記ＳＭＦエンティティが項目１８から２２のいずれか一項に記載のセッションを確立するための方法を行う、
ＳＭＦエンティティ。
［項目４０］
メモリと、プロセッサと、バスと、送受信機とを備えるユーザ機器であって、上記メモリは、コードおよびデータを記憶し、上記プロセッサは、上記バスにより上記メモリに接続され、上記プロセッサが上記メモリにおける上記コードを動作させることで、上記ユーザ機器が項目１から５または項目６から１１のいずれか一項に記載のセッションを確立するための方法を行う、
ユーザ機器。
［項目４１］
命令を備え、上記命令がＡＭＦエンティティ上で動作するとき、上記ＡＭＦエンティティは、項目１２から１７のいずれか一項に記載のセッションを確立するための方法を行うことが可能となり、または、上記命令がＳＭＦエンティティ上で実行されるとき、上記ＳＭＦエンティティは、項目１８から２２のいずれか一項に記載のセッションを確立するための方法を行うことが可能となり、または、上記命令がユーザ機器上で動作するとき、上記ユーザ機器は、項目１から５または項目６から１１のいずれか一項に記載のセッションを確立するための方法を行うことが可能となる、
コンピュータ可読記憶媒体。
［項目４２］
項目３１から３４のいずれか一項に記載のＡＭＦエンティティと、項目３５から３７のいずれか一項に記載のＳＭＦエンティティと、項目２３から２５のいずれか一項に記載のユーザ機器または項目２６から３０のいずれか一項に記載のユーザ機器とを備える、セッションを確立するためのシステム。
【図１ａ】
0006989226.tif 000003
【図１ｂ】
0006989226.tif 000004
【図２ａ】
0006989226.tif 000005
【図２ｂ】
0006989226.tif 000006
【図２ｃ】
0006989226.tif 000007
【図２ｄ】
0006989226.tif 000008
【図３】
0006989226.tif 000009
【図４Ａ】
0006989226.tif 000010
【図４Ｂ】
0006989226.tif 000011
【図５Ａ】
0006989226.tif 000012
【図５Ｂ】
0006989226.tif 000013
【図６Ａ】
0006989226.tif 000014
【図６Ｂ】
0006989226.tif 000015
【図７Ａ】
0006989226.tif 000016
【図７Ｂ】
0006989226.tif 000017
【図８】
0006989226.tif 000018
【図９】
0006989226.tif 000019
【図１０Ａ】
0006989226.tif 000020
【図１０Ｂ】
0006989226.tif 000021
【図１１ａ】
0006989226.tif 000022
【図１１ｂ】
0006989226.tif 000023
【図１２ａ】
0006989226.tif 000024
【図１２ｂ】
0006989226.tif 000025
【図１３ａ】
0006989226.tif 000026
【図１３ｂ】
0006989226.tif 000027
【図１３ｃ】
0006989226.tif 000028